(57)【特許請求の範囲】
【請求項１】
時分割多重（ＴＤＤ：Ｔｉｍｅ−Ｄｉｖｉｓｉｏｎ  Ｄｕｐｌｅｘｉｎｇ）キャリアアグリゲーション可能なユーザ装置（ＵＥ）がフィードバック情報を送信するための方法であって、
在圏セルごとのＴＤＤ上り下りリンク（ＵＬ−ＤＬ：ｕｐｌｉｎｋ−ｄｏｗｎｌｉｎｋ）構成を確定する確定ステップと、
ｃ番目の在圏セルに関して前記ＵＥによるハイブリッド自動再送要求／肯定応答（ＨＡＲＱ−ＡＣＫ）ビットのフィードバックが必要となるサブフレームの数であるフィードバックファクターＢｃＤＬに基づいて、サブフレームｎにおけるＨＡＲＱ−ＡＣＫ情報を送信する送信ステップと、を含み、
在圏セルごとに設定された前記ＴＤＤ  ＵＬ−ＤＬ構成のうち少なくとも２つの構成は異なり、
在圏セルに関して検出される下りリンク制御情報（ＤＣＩ：Ｄｏｗｎｌｉｎｋ  Ｃｏｎｔｒｏｌ  Ｉｎｆｏｒｍａｔｉｏｎ）フォーマット０／４のうちパラメーターＷＤＡＩＵＬを確定するための下りリンク割り当てインデックス（ＤＡＩ：Ｄｏｗｎｌｉｎｋ  Ａｓｓｉｇｎｍｅｎｔ  Ｉｎｄｅｘ）を有するＤＣＩフォーマット０／４に基づいて調整される物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）送信によって、前記サブフレームｎにおける前記ＨＡＲＱ−ＡＣＫ情報が送信される場合は、パラメーターＭｃと前記パラメーターＷＤＡＩＵＬとに基づいて、在圏セルごとの前記フィードバックファクターＢｃＤＬが確定され、
在圏セルに関して検出されるＤＣＩフォーマット０／４のうち前記パラメーターＷＤＡＩＵＬを確定するためのＤＡＩを有さないＤＣＩフォーマット０／４に基づいて調整される前記ＰＵＳＣＨ送信によって、前記サブフレームｎにおける前記ＨＡＲＱ−ＡＣＫ情報が送信される場合は、前記パラメーターＭｃに基づいて、在圏セルごとの前記フィードバックファクターＢｃＤＬが確定され、
前記パラメーターＭｃは、前記ｃ番目の在圏セルの１つ以上のｋの値を含む集合Ｋｃにおける要素の数であり、
前記パラメーターＷＤＡＩＵＬは、前記ＰＵＳＣＨ送信に対応する在圏セルの上りリンク参照ＵＬ−ＤＬ構成に対応し、前記ＤＡＩに基づいて確定され、
前記送信ステップでは、前記ｃ番目の在圏セルに関してサブフレームｎ−ｋにおいて、物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）と下りリンク・セミパーシステント・スケジューリング（ＳＰＳ）リリースを示す物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）とのいずれかが検出されると、前記サブフレームｎにおける前記ＨＡＲＱ−ＡＣＫ情報を送信する、方法。
【請求項２】
時分割多重（ＴＤＤ：Ｔｉｍｅ−Ｄｉｖｉｓｉｏｎ  Ｄｕｐｌｅｘｉｎｇ）キャリアアグリゲーション可能なユーザ装置（ＵＥ）であって、
在圏セルごとのＴＤＤ上り下りリンク（ＵＬ−ＤＬ：ｕｐｌｉｎｋ−ｄｏｗｎｌｉｎｋ）構成を確定するオペレーション部と、
ｃ番目の在圏セルに関して前記ＵＥによるハイブリッド自動再送要求／肯定応答（ＨＡＲＱ−ＡＣＫ）ビットのフィードバックが必要となるサブフレームの数であるフィードバックファクターＢｃＤＬに基づいて、サブフレームｎにおけるＨＡＲＱ−ＡＣＫ情報を送信する送信部と、を備え、
在圏セルごとに設定された前記ＴＤＤ  ＵＬ−ＤＬ構成のうち少なくとも２つの構成は異なり、
在圏セルに関して検出される下りリンク制御情報（ＤＣＩ：Ｄｏｗｎｌｉｎｋ  Ｃｏｎｔｒｏｌ  Ｉｎｆｏｒｍａｔｉｏｎ）フォーマット０／４のうちパラメーターＷＤＡＩＵＬを確定するための下りリンク割り当てインデックス（ＤＡＩ：Ｄｏｗｎｌｉｎｋ  Ａｓｓｉｇｎｍｅｎｔ  Ｉｎｄｅｘ）を有するＤＣＩフォーマット０／４に基づいて調整される物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）送信によって、前記サブフレームｎにおける前記ＨＡＲＱ−ＡＣＫ情報が送信される場合は、パラメーターＭｃと前記パラメーターＷＤＡＩＵＬとに基づいて、在圏セルごとの前記フィードバックファクターＢｃＤＬが確定され、
在圏セルに関して検出されるＤＣＩフォーマット０／４のうち前記パラメーターＷＤＡＩＵＬを確定するためのＤＡＩを有さないＤＣＩフォーマット０／４に基づいて調整される前記ＰＵＳＣＨ送信によって、前記サブフレームｎにおける前記ＨＡＲＱ−ＡＣＫ情報が送信される場合は、前記パラメーターＭｃに基づいて、在圏セルごとの前記フィードバックファクターＢｃＤＬが確定され、
前記パラメーターＭｃは、前記ｃ番目の在圏セルの１つ以上のｋの値を含む集合Ｋｃにおける要素の数であり、
前記パラメーターＷＤＡＩＵＬは、前記ＰＵＳＣＨ送信に対応する在圏セルの上りリンク参照ＵＬ−ＤＬ構成に対応し、前記ＤＡＩに基づいて確定され、
前記送信部は、前記ｃ番目の在圏セルに関してサブフレームｎ−ｋにおいて、物理下りリンク共有チャネル（ＰＤＳＣＨ：Ｐｈｙｓｉｃａｌ  Ｄｏｗｎｌｉｎｋ  Ｓｈａｒｅｄ
Ｃｈａｎｎｅｌ）と下りリンク・セミパーシステント・スケジューリング（ＳＰＳ）リリースを示す物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）とのいずれかが検出されると、前記サブフレームｎにおける前記ＨＡＲＱ−ＡＣＫ情報を送信する、ＵＥ。
【請求項３】
時分割多重（ＴＤＤ：Ｔｉｍｅ−Ｄｉｖｉｓｉｏｎ  Ｄｕｐｌｅｘｉｎｇ）キャリアアグリゲーション可能なユーザ装置（ＵＥ）に複数の機能を実行させるために前記ＵＥに搭載された集積回路であって、
在圏セルごとのＴＤＤ上り下りリンク（ＵＬ−ＤＬ：ｕｐｌｉｎｋ−ｄｏｗｎｌｉｎｋ）構成を確定する確定ステップと、
ｃ番目の在圏セルに関して前記ＵＥによるハイブリッド自動再送要求／肯定応答（ＨＡＲＱ−ＡＣＫ）ビットのフィードバックが必要となるサブフレームの数であるフィードバックファクターＢｃＤＬに基づいて、サブフレームｎにおけるＨＡＲＱ−ＡＣＫ情報を送信する送信ステップと、を行わせ、
在圏セルごとに設定された前記ＴＤＤ  ＵＬ−ＤＬ構成のうち少なくとも２つの構成は異なり、
在圏セルに関して検出される下りリンク制御情報（ＤＣＩ：Ｄｏｗｎｌｉｎｋ  Ｃｏｎｔｒｏｌ  Ｉｎｆｏｒｍａｔｉｏｎ）フォーマット０／４のうちパラメーターＷＤＡＩＵＬを確定するための下りリンク割り当てインデックス（ＤＡＩ：Ｄｏｗｎｌｉｎｋ  Ａｓｓｉｇｎｍｅｎｔ  Ｉｎｄｅｘ）を有するＤＣＩフォーマット０／４に基づいて調整される物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）送信によって、前記サブフレームｎにおける前記ＨＡＲＱ−ＡＣＫ情報が送信される場合は、パラメーターＭｃと前記パラメーターＷＤＡＩＵＬとに基づいて、在圏セルごとの前記フィードバックファクターＢｃＤＬが確定され、
在圏セルに関して検出されるＤＣＩフォーマット０／４のうち前記パラメーターＷＤＡＩＵＬを確定するためのＤＡＩを有さないＤＣＩフォーマット０／４に基づいて調整される前記ＰＵＳＣＨ送信によって、前記サブフレームｎにおける前記ＨＡＲＱ−ＡＣＫ情報が送信される場合は、前記パラメーターＭｃに基づいて、在圏セルごとの前記フィードバックファクターＢｃＤＬが確定され、
前記パラメーターＭｃは、前記ｃ番目の在圏セルの１つ以上のｋの値を含む集合Ｋｃにおける要素の数であり、
前記パラメーターＷＤＡＩＵＬは、前記ＰＵＳＣＨ送信に対応する在圏セルの上りリンク参照ＵＬ−ＤＬ構成に対応し、前記ＤＡＩに基づいて確定され、
前記送信ステップでは、前記ｃ番目の在圏セルに関してサブフレームｎ−ｋにおいて、物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）と下りリンク・セミパーシステント・スケジューリング（ＳＰＳ）リリースを示す物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）とのいずれかが検出されると、前記サブフレームｎにおける前記ＨＡＲＱ−ＡＣＫ情報を送信する、集積回路。
【請求項４】
時分割多重（ＴＤＤ：Ｔｉｍｅ−Ｄｉｖｉｓｉｏｎ  Ｄｕｐｌｅｘｉｎｇ）キャリアアグリゲーション可能な基地局装置（ｅＮＢ）がフィードバック情報を受信するための方法であって、
在圏セルごとのＴＤＤ上り下りリンク（ＵＬ−ＤＬ：ｕｐｌｉｎｋ−ｄｏｗｎｌｉｎｋ）構成を確定する確定ステップと、
ｃ番目の在圏セルに関してユーザ装置（ＵＥ）によるハイブリッド自動再送要求／肯定応答（ＨＡＲＱ−ＡＣＫ）ビットのフィードバックが必要となるサブフレームの数であるフィードバックファクターＢｃＤＬに基づいて、サブフレームｎにおけるＨＡＲＱ−ＡＣＫ情報を受信する受信ステップと、を含み、
在圏セルごとに設定された前記ＴＤＤ  ＵＬ−ＤＬ構成のうち少なくとも２つの構成は異なり、
在圏セルに関して検出される下りリンク制御情報（ＤＣＩ：Ｄｏｗｎｌｉｎｋ  Ｃｏｎｔｒｏｌ  Ｉｎｆｏｒｍａｔｉｏｎ）フォーマット０／４のうちパラメーターＷＤＡＩＵＬを確定するための下りリンク割り当てインデックス（ＤＡＩ：Ｄｏｗｎｌｉｎｋ  Ａｓｓｉｇｎｍｅｎｔ  Ｉｎｄｅｘ）を有するＤＣＩフォーマット０／４に基づいて調整される物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）送信によって、前記サブフレームｎにおける前記ＨＡＲＱ−ＡＣＫ情報が送信される場合は、パラメーターＭｃと前記パラメーターＷＤＡＩＵＬとに基づいて、在圏セルごとの前記フィードバックファクターＢｃＤＬが確定され、
在圏セルに関して検出されるＤＣＩフォーマット０／４のうち前記パラメーターＷＤＡＩＵＬを確定するためのＤＡＩを有さないＤＣＩフォーマット０／４に基づいて調整される前記ＰＵＳＣＨ送信によって、前記サブフレームｎにおける前記ＨＡＲＱ−ＡＣＫ情報が送信される場合は、前記パラメーターＭｃに基づいて、在圏セルごとの前記フィードバックファクターＢｃＤＬが確定され、
前記パラメーターＭｃは、前記ｃ番目の在圏セルの１つ以上のｋの値を含む集合Ｋｃにおける要素の数であり、
前記パラメーターＷＤＡＩＵＬは、前記ＰＵＳＣＨ送信に対応する在圏セルの上りリンク参照ＵＬ−ＤＬ構成に対応し、前記ＤＡＩに基づいて確定され、
前記受信ステップでは、前記ｃ番目の在圏セルに関してサブフレームｎ−ｋにおいて、物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）と下りリンク・セミパーシステント・スケジューリング（ＳＰＳ）リリースを示す物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）とのいずれかが前記ＵＥによって検出されると、前記サブフレームｎにおける前記ＨＡＲＱ−ＡＣＫ情報を受信する、方法。
【請求項５】
時分割多重（ＴＤＤ：Ｔｉｍｅ−Ｄｉｖｉｓｉｏｎ  Ｄｕｐｌｅｘｉｎｇ）キャリアアグリゲーション可能な基地局装置（ｅＮＢ）であって、
在圏セルごとのＴＤＤ上り下りリンク（ＵＬ−ＤＬ：ｕｐｌｉｎｋ−ｄｏｗｎｌｉｎｋ）構成を確定するオペレーション部と、
ｃ番目の在圏セルに関してユーザ装置（ＵＥ）によるハイブリッド自動再送要求／肯定応答（ＨＡＲＱ−ＡＣＫ）ビットのフィードバックが必要となるサブフレームの数であるフィードバックファクターＢｃＤＬに基づいて、サブフレームｎにおけるＨＡＲＱ−ＡＣＫ情報を受信する受信部と、を備え、
在圏セルごとに設定された前記ＴＤＤ  ＵＬ−ＤＬ構成のうち少なくとも２つの構成は異なり、
在圏セルに関して検出される下りリンク制御情報（ＤＣＩ：Ｄｏｗｎｌｉｎｋ  Ｃｏｎｔｒｏｌ  Ｉｎｆｏｒｍａｔｉｏｎ）フォーマット０／４のうちパラメーターＷＤＡＩＵＬを確定するための下りリンク割り当てインデックス（ＤＡＩ：Ｄｏｗｎｌｉｎｋ  Ａｓｓｉｇｎｍｅｎｔ  Ｉｎｄｅｘ）を有するＤＣＩフォーマット０／４に基づいて調整される物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）送信によって、前記サブフレームｎにおける前記ＨＡＲＱ−ＡＣＫ情報が送信される場合は、パラメーターＭｃと前記パラメーターＷＤＡＩＵＬとに基づいて、在圏セルごとの前記フィードバックファクターＢｃＤＬが確定され、
在圏セルに関して検出されるＤＣＩフォーマット０／４のうち前記パラメーターＷＤＡＩＵＬを確定するためのＤＡＩを有さないＤＣＩフォーマット０／４に基づいて調整される前記ＰＵＳＣＨ送信によって、前記サブフレームｎにおける前記ＨＡＲＱ−ＡＣＫ情報が送信される場合は、前記パラメーターＭｃに基づいて、在圏セルごとの前記フィードバックファクターＢｃＤＬが確定され、
前記パラメーターＭｃは、前記ｃ番目の在圏セルの１つ以上のｋの値を含む集合Ｋｃにおける要素の数であり、
前記パラメーターＷＤＡＩＵＬは、前記ＰＵＳＣＨ送信に対応する在圏セルの上りリンク参照ＵＬ−ＤＬ構成に対応し、前記ＤＡＩに基づいて確定され、
前記受信部は、前記ｃ番目の在圏セルに関してサブフレームｎ−ｋにおいて、物理下りリンク共有チャネル（ＰＤＳＣＨ：Ｐｈｙｓｉｃａｌ  Ｄｏｗｎｌｉｎｋ  Ｓｈａｒｅｄ
Ｃｈａｎｎｅｌ）と下りリンク・セミパーシステント・スケジューリング（ＳＰＳ）リリースを示す物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）とのいずれかが前記ＵＥによって検出されると、前記サブフレームｎにおける前記ＨＡＲＱ−ＡＣＫ情報を受信する、ｅＮＢ。
【請求項６】
時分割多重（ＴＤＤ：Ｔｉｍｅ−Ｄｉｖｉｓｉｏｎ  Ｄｕｐｌｅｘｉｎｇ）キャリアアグリゲーション可能な基地局装置（ｅＮＢ）に複数の機能を実行させるために前記ｅＮＢに搭載された集積回路であって、
在圏セルごとのＴＤＤ上り下りリンク（ＵＬ−ＤＬ：ｕｐｌｉｎｋ−ｄｏｗｎｌｉｎｋ）構成を確定する確定ステップと、
ｃ番目の在圏セルに関してユーザ装置（ＵＥ）によるハイブリッド自動再送要求／肯定応答（ＨＡＲＱ−ＡＣＫ）ビットのフィードバックが必要となるサブフレームの数であるフィードバックファクターＢｃＤＬに基づいて、サブフレームｎにおけるＨＡＲＱ−ＡＣＫ情報を受信する受信ステップと、を行わせ、
在圏セルごとに設定された前記ＴＤＤ  ＵＬ−ＤＬ構成のうち少なくとも２つの構成は異なり、
在圏セルに関して検出される下りリンク制御情報（ＤＣＩ：Ｄｏｗｎｌｉｎｋ  Ｃｏｎｔｒｏｌ  Ｉｎｆｏｒｍａｔｉｏｎ）フォーマット０／４のうちパラメーターＷＤＡＩＵＬを確定するための下りリンク割り当てインデックス（ＤＡＩ：Ｄｏｗｎｌｉｎｋ  Ａｓｓｉｇｎｍｅｎｔ  Ｉｎｄｅｘ）を有するＤＣＩフォーマット０／４に基づいて調整される物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）送信によって、前記サブフレームｎにおける前記ＨＡＲＱ−ＡＣＫ情報が送信される場合は、パラメーターＭｃと前記パラメーターＷＤＡＩＵＬとに基づいて、在圏セルごとの前記フィードバックファクターＢｃＤＬが確定され、
在圏セルに関して検出されるＤＣＩフォーマット０／４のうち前記パラメーターＷＤＡＩＵＬを確定するためのＤＡＩを有さないＤＣＩフォーマット０／４に基づいて調整される前記ＰＵＳＣＨ送信によって、前記サブフレームｎにおける前記ＨＡＲＱ−ＡＣＫ情報が送信される場合は、前記パラメーターＭｃに基づいて、在圏セルごとの前記フィードバックファクターＢｃＤＬが確定され、
前記パラメーターＭｃは、前記ｃ番目の在圏セルの１つ以上のｋの値を含む集合Ｋｃにおける要素の数であり、
前記パラメーターＷＤＡＩＵＬは、前記ＰＵＳＣＨ送信に対応する在圏セルの上りリンク参照ＵＬ−ＤＬ構成に対応し、前記ＤＡＩに基づいて確定され、
前記受信ステップでは、ｃ番目の在圏セルに関してサブフレームｎ−ｋにおいて、物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）と下りリンク・セミパーシステント・スケジューリング（ＳＰＳ）リリースを示す物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）とのいずれかが前記ＵＥによって検出されると、前記サブフレームｎにおける前記ＨＡＲＱ−ＡＣＫ情報を受信する、集積回路。
【発明の詳細な説明】
【技術分野】
【０００１】
関連出願
この出願は、参照により本明細書に組み込まれる、フィードバック情報を送受信するためのデバイスに関する２０１２年６月１４日出願の米国仮特許出願第６１／６５９，８９２号、および、フィードバック情報を送受信するためのデバイスに関する２０１２年６月１４日出願の米国特許出願第１３／６３１，４３３号に関連するものであり、それらからの優先権を主張する。
【０００２】
技術分野
本開示は、一般に、通信システムに関する。より具体的には、本開示は、フィードバック情報を送受信するためのデバイスに関する。
【背景技術】
【０００３】
ワイヤレス通信デバイスは、消費者ニーズを満たし、可搬性と便利さとを改善するためにより小さく、より強力になった。消費者は、ワイヤレス通信デバイスに依存するようになり、高信頼性のサービス、カバレッジエリアの拡大および機能性の向上を期待するようになった。ワイヤレス通信システムは、多数のワイヤレス通信デバイスに通信を提供し、それぞれのデバイスが基地局によるサービスを享受する。基地局は、ワイヤレス通信デバイスと通信するデバイスである。
【０００４】
ワイヤレス通信デバイスが進歩するにつれて、通信容量、速度、フレキシビリティおよび／または効率の向上が求められてきた。しかしながら、通信容量、速度、フレキシビリティおよび／または効率の向上は、いくつかの問題を提起することがある。
【０００５】
例えば、ワイヤレス通信デバイスは、通信構造を用いて１つ以上のデバイスと通信する。しかしながら、用いられる通信構造は、限られたフレキシビリティおよび／または効率を提供するに過ぎない。この考察によって示されるように、通信のフレキシビリティおよび／または効率を向上させるシステムおよび方法が有益であろう。
【発明の概要】
【課題を解決するための手段】
【０００６】
端末装置（ＵＥ：Ｕｓｅｒ  Ｅｑｕｉｐｍｅｎｔ）によってフィードバック情報を送信するための方法が記載される。方法は、在圏セルｃごとに時分割多重（ＴＤＤ：Ｔｉｍｅ−Ｄｉｖｉｓｉｏｎ  Ｄｕｐｌｅｘｉｎｇ）上り下りリンク（ＵＬ−ＤＬ：ｕｐｌｉｎｋ−ｄｏｗｎｌｉｎｋ）構成を確定するステップを含み、少なくとも２つの設定された在圏セルのＴＤＤ  ＵＬ−ＤＬ構成は同じでない。方法は、物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）送信が、ＵＬ／ＤＬ構成０をもつ在圏セルに関して検出された下りリンク制御情報（ＤＣＩ：Ｄｏｗｎｌｉｎｋ  Ｃｏｎｔｒｏｌ  Ｉｎｆｏｒｍａｔｉｏｎ）フォーマット０／４に基づいて調整される場合に、パラメーターＭｃに基づいて、在圏セルごとの第１のフィードバックファクター
【０００７】
【数１】
0006452447.tif 000002
【０００８】
を確定するステップも含み、第１のフィードバックファクター
【０００９】
【数２】
0006452447.tif 000003
【００１０】
は、ＵＥが、ｃ番目の在圏セルに関してＨＡＲＱ−ＡＣＫビットをフィードバックする必要がある下りリンクサブフレームの数であり、Ｍｃは、集合Ｋｃにおける要素の数であり、集合Ｋｃは、ｃ番目の在圏セルの１つ以上のｋの値を含み、サブフレームｎにおけるハイブリッド自動再送要求／肯定応答（ＨＡＲＱ−ＡＣＫ：Ｈｙｂｒｉｄ  Ａｕｔｏｍａｔｉｃ  Ｒｅｐｅａｔ  Ｒｅｑｕｅｓｔ  Ａｃｋｎｏｗｌｅｄｇｅｍｅｎｔ／Ｎｅｇａｔｉｖｅ  Ａｃｋｎｏｗｌｅｄｇｅｍｅｎｔ）は、サブフレームｎ−ｋにおける物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）に対応する。方法は、第１のフィードバックファクター
【００１１】
【数３】
0006452447.tif 000004
【００１２】
に基づいて、ＰＵＳＣＨ上でＨＡＲＱ−ＡＣＫ情報を送信するステップをさらに含む。
【００１３】
端末装置（ＵＥ）によってフィードバック情報を送信するための方法が記載される。方法は、在圏セルｃごとに時分割多重（ＴＤＤ）上り下りリンク（ＵＬ−ＤＬ）構成を確定するステップを含み、少なくとも２つの設定された在圏セルのＴＤＤ  ＵＬ−ＤＬ構成は同じでない。方法は、少なくとも１つの設定された在圏セルのタイミング参照ＵＬ／ＤＬ構成が｛５｝に属し、物理上りリンク共有チャネル（ＰＵＳＣＨ）送信が、ある１つの在圏セルに関して検出されたＤＣＩフォーマット０／４に基づいて調整される場合に、
【００１４】
【数４】
0006452447.tif 000005
【００１５】
に基づいて、在圏セルごとの第１のフィードバックファクター
【００１６】
【数５】
0006452447.tif 000006
【００１７】
を確定するステップも含み、第１のフィードバックファクター
【００１８】
【数６】
0006452447.tif 000007
【００１９】
は、ＵＥが、ｃ番目の在圏セルに関してＨＡＲＱ−ＡＣＫビットをフィードバックする必要がある下りリンクサブフレームの数であり、Ｍｃは、集合Ｋｃにおける要素の数であり、集合Ｋｃは、ｃ番目の在圏セルの１つ以上のｋの値を含み、サブフレームｎにおけるハイブリッド自動再送要求／肯定応答（ＨＡＲＱ−ＡＣＫ）は、サブフレームｎ−ｋにおける物理下りリンク共有チャネル（ＰＤＳＣＨ）に対応し、
Ｕ
は、すべての設定された在圏セルのうちの
Ｕｃ
の最大値を示し、ここで
Ｕｃ
は、ｃ番目の在圏セル上で受信した物理下りリンク共有チャネル（ＰＤＳＣＨ）と下りリンク・セミパーシステント・スケジューリング（ＳＰＳ：ｓｅｍｉ−ｐｅｒｓｉｓｔｅｎｔ  ｓｃｈｅｄｕｌｉｎｇ）リリースを示す物理下りリンク制御チャネル（ＰＤＣＣＨ）との合計数である。方法は、第１のフィードバックファクター
【００２０】
【数７】
0006452447.tif 000008
【００２１】
に基づいて、ＰＵＳＣＨ上でＨＡＲＱ−ＡＣＫ情報を送信するステップをさらに含む。
【００２２】
フィードバック情報を送信するための端末装置（ＵＥ）が記載される。ＵＥは、在圏セルｃごとに時分割多重（ＴＤＤ）上り下りリンク（ＵＬ−ＤＬ）構成を確定するように構成され、少なくとも２つの設定された在圏セルのＴＤＤ  ＵＬ−ＤＬ構成は同じでなく、かつ、物理上りリンク共有チャネル（ＰＵＳＣＨ）送信が、ＵＬ／ＤＬ構成０をもつ在圏セルに関して検出された下りリンク制御情報（ＤＣＩ）フォーマット０／４に基づいて調整される場合に、パラメーターＭｃに基づいて、在圏セルごとの第１のフィードバックファクター
【００２３】
【数８】
0006452447.tif 000009
【００２４】
を確定するように構成されたオペレーション部を含み、第１のフィードバックファクター
【００２５】
【数９】
0006452447.tif 000010
【００２６】
は、ＵＥが、ｃ番目の在圏セルに関してＨＡＲＱ−ＡＣＫビットをフィードバックする必要がある下りリンクサブフレームの数であり、Ｍｃは、集合Ｋｃにおける要素の数であり、集合Ｋｃは、ｃ番目の在圏セルの１つ以上のｋの値を含み、サブフレームｎにおけるハイブリッド自動再送要求／肯定応答（ＨＡＲＱ−ＡＣＫ）は、サブフレームｎ−ｋにおける物理下りリンク共有チャネル（ＰＤＳＣＨ）に対応する。ＵＥは、第１のフィードバックファクター
【００２７】
【数１０】
0006452447.tif 000011
【００２８】
に基づいて、ＰＵＳＣＨ上でＨＡＲＱ−ＡＣＫ情報を送信するように構成された送信部も含む。
【００２９】
フィードバック情報を送信する端末装置（ＵＥ）が記載される。ＵＥは、在圏セルｃごとに時分割多重（ＴＤＤ）上り下りリンク（ＵＬ−ＤＬ）構成を確定するように構成され、少なくとも２つの設定された在圏セルのＴＤＤ  ＵＬ−ＤＬ構成は同じでなく、かつ、少なくとも１つの設定された在圏セルのタイミング参照ＵＬ／ＤＬ構成が｛５｝に属し、物理上りリンク共有チャネル（ＰＵＳＣＨ）送信が、ある１つの在圏セルに関して検出されたＤＣＩフォーマット０／４に基づいて調整される場合に、
【００３０】
【数１１】
0006452447.tif 000012
【００３１】
に基づいて、在圏セルごとの第１のフィードバックファクター
【００３２】
【数１２】
0006452447.tif 000013
【００３３】
を確定するように構成されたオペレーション部を含み、第１のフィードバックファクター
【００３４】
【数１３】
0006452447.tif 000014
【００３５】
は、ＵＥが、ｃ番目の在圏セルに関してＨＡＲＱ−ＡＣＫビットをフィードバックする必要がある下りリンクサブフレームの数であり、Ｍｃは、集合Ｋｃにおける要素の数であり、集合Ｋｃは、ｃ番目の各在圏セルの１つ以上のｋの値を含み、サブフレームｎにおけるハイブリッド自動再送要求／肯定応答（ＨＡＲＱ−ＡＣＫ）は、サブフレームｎ−ｋにおける物理下りリンク共有チャネル（ＰＤＳＣＨ）に対応し、
Ｕ
は、すべての設定された在圏セルのうちの
Ｕｃ
の最大値を示し、ここで
Ｕｃ
は、ｃ番目の在圏セル上で受信した物理下りリンク共有チャネル（ＰＤＳＣＨ）と下りリンク・セミパーシステント・スケジューリング（ＳＰＳ）リリースを示す物理下りリンク制御チャネル（ＰＤＣＣＨ）との合計数である。ＵＥは、第１のフィードバックファクター
【００３６】
【数１４】
0006452447.tif 000015
【００３７】
に基づいて、ＰＵＳＣＨ上でＨＡＲＱ−ＡＣＫ情報を送信するように構成された送信部も含む。
【００３８】
ＵＥに複数の機能を実行させるためにＵＥに搭載された集積回路が記載される。集積回路は、ＵＥに、在圏セルｃごとに時分割多重（ＴＤＤ）上り下りリンク（ＵＬ−ＤＬ）構成を確定するステップを行わせ、少なくとも２つの設定された在圏セルのＴＤＤ  ＵＬ−ＤＬ構成は同じでない。集積回路は、ＵＥに、物理上りリンク共有チャネル（ＰＵＳＣＨ）送信が、ＵＬ／ＤＬ構成０をもつ在圏セルに関して検出されたＤＣＩフォーマット０／４に基づいて調整される場合に、パラメーターＭｃに基づいて、在圏セルごとの第１のフィードバックファクター
【００３９】
【数１５】
0006452447.tif 000016
【００４０】
を確定するステップも行わせ、第１のフィードバックファクター
【００４１】
【数１６】
0006452447.tif 000017
【００４２】
は、ＵＥが、ｃ番目の在圏セルに関してＨＡＲＱ−ＡＣＫビットをフィードバックする必要がある下りリンクサブフレームの数であり、Ｍｃは、集合Ｋｃにおける要素の数であり、集合Ｋｃは、ｃ番目の在圏セルの１つ以上のｋの値を含み、サブフレームｎにおけるハイブリッド自動再送要求／肯定応答（ＨＡＲＱ−ＡＣＫ）は、サブフレームｎ−ｋにおける物理下りリンク共有チャネル（ＰＤＳＣＨ）に対応する。集積回路は、ＵＥに、第１のフィードバックファクター
【００４３】
【数１７】
0006452447.tif 000018
【００４４】
に基づいて、ＰＵＳＣＨ上でＨＡＲＱ−ＡＣＫ情報をさらに送信するステップを行わせる。
【００４５】
ＵＥに複数の機能を実行させるためにＵＥに搭載された集積回路が記載される。集積回路は、ＵＥに、在圏セルｃごとに時分割多重（ＴＤＤ）上り下りリンク（ＵＬ−ＤＬ）構成を確定するステップを行わせ、少なくとも２つの設定された在圏セルのＴＤＤ  ＵＬ−ＤＬ構成は同じではない。集積回路は、少なくとも１つの設定された在圏セルのタイミング参照ＵＬ／ＤＬ構成が｛５｝に属し、物理上りリンク共有チャネル（ＰＵＳＣＨ）送信が、ある１つの在圏セルに関して検出されたＤＣＩフォーマット０／４に基づいて調整される場合に、ＵＥに、
【００４６】
【数１８】
0006452447.tif 000019
【００４７】
に基づいて、在圏セルごとの第１のフィードバックファクター
【００４８】
【数１９】
0006452447.tif 000020
【００４９】
を確定するステップも行わせ、第１のフィードバックファクター
【００５０】
【数２０】
0006452447.tif 000021
【００５１】
は、ＵＥが、ｃ番目の在圏セルに関してＨＡＲＱ−ＡＣＫビットをフィードバックする必要がある下りリンクサブフレームの数であり、Ｍｃは、集合Ｋｃにおける要素の数であり、集合Ｋｃは、ｃ番目の在圏セルの１つ以上のｋの値を含み、サブフレームｎにおけるハイブリッド自動再送要求／肯定応答（ＨＡＲＱ−ＡＣＫ）は、サブフレームｎ−ｋにおける物理下りリンク共有チャネル（ＰＤＳＣＨ）に対応し、
Ｕ
は、すべての設定された在圏セルのうちの
Ｕｃ
の最大値を示し、ここで
Ｕｃ
は、ｃ番目の在圏セル上で受信した物理下りリンク共有チャネル（ＰＤＳＣＨ）と下りリンク・セミパーシステント・スケジューリング（ＳＰＳ）リリースを示す物理下りリンク制御チャネル（ＰＤＣＣＨ）との合計数である。集積回路は、ＵＥに、第１のフィードバックファクター
【００５２】
【数２１】
0006452447.tif 000022
【００５３】
に基づいて、ＰＵＳＣＨ上でＨＡＲＱ−ＡＣＫ情報をさらに送信するステップを行わせる。
【００５４】
基地局装置（ｅＮＢ）によってフィードバック情報を受信するための方法が記載される。方法は、端末装置（ＵＥ）のための在圏セルｃごとに時分割多重（ＴＤＤ）上り下りリンク（ＵＬ−ＤＬ）構成を確定するステップを含み、ＵＥのための少なくとも２つの設定された在圏セルのＴＤＤ  ＵＬ−ＤＬ構成は同じでない。方法は、第１のフィードバックファクター
【００５５】
【数２２】
0006452447.tif 000023
【００５６】
に基づいて、物理上りリンク共有チャネル（ＰＵＳＣＨ）上でハイブリッド自動再送要求／肯定応答（ＨＡＲＱ−ＡＣＫ）情報を受信するステップも含み、在圏セルごとの第１のフィードバックファクター
【００５７】
【数２３】
0006452447.tif 000024
【００５８】
は、ＰＵＳＣＨ送信が、ＵＬ／ＤＬ構成０をもつ在圏セルに関して検出された下りリンク制御情報（ＤＣＩ）フォーマット０／４に基づいて調整される場合に、パラメーターＭｃに基づいて確定され、第１のフィードバックファクター
【００５９】
【数２４】
0006452447.tif 000025
【００６０】
は、ＵＥが、ｃ番目の在圏セルに関してＨＡＲＱ−ＡＣＫビットをフィードバックする必要がある下りリンクサブフレームの数であり、Ｍｃは、集合Ｋｃにおける要素の数であり、集合Ｋｃは、ｃ番目の在圏セルの１つ以上のｋの値を含み、サブフレームｎにおけるＨＡＲＱ−ＡＣＫは、サブフレームｎ−ｋにおける物理下りリンク共有チャネル（ＰＤＳＣＨ）に対応する。
【００６１】
基地局装置（ｅＮＢ）によってフィードバック情報を受信するための方法が記載される。方法は、端末装置（ＵＥ）のための在圏セルｃごとに時分割多重（ＴＤＤ）上り下りリンク（ＵＬ−ＤＬ）構成を確定するステップを含み、ＵＥのための少なくとも２つの設定された在圏セルのＴＤＤ  ＵＬ−ＤＬ構成は同じでない。方法は、第１のフィードバックファクター
【００６２】
【数２５】
0006452447.tif 000026
【００６３】
に基づいて、物理上りリンク共有チャネル（ＰＵＳＣＨ）上でハイブリッド自動再送要求／肯定応答（ＨＡＲＱ−ＡＣＫ）情報を受信するステップも含み、在圏セルごとの第１のフィードバックファクター
【００６４】
【数２６】
0006452447.tif 000027
【００６５】
は、少なくとも１つの設定された在圏セルのタイミング参照ＵＬ／ＤＬ構成が｛５｝に属し、物理上りリンク共有チャネル（ＰＵＳＣＨ）送信が、ある１つの在圏セルに関して検出されたＤＣＩフォーマット０／４に基づいて調整される場合に、
【００６６】
【数２７】
0006452447.tif 000028
【００６７】
に基づいて確定され、第１のフィードバックファクター
【００６８】
【数２８】
0006452447.tif 000029
【００６９】
は、ＵＥが、ｃ番目の在圏セルに関してＨＡＲＱ−ＡＣＫビットをフィードバックする必要がある下りリンクサブフレームの数であり、Ｍｃは、集合Ｋｃにおける要素の数であり、集合Ｋｃは、ｃ番目の在圏セルの１つ以上のｋの値を含み、サブフレームｎにおけるＨＡＲＱ−ＡＣＫは、サブフレームｎ−ｋにおける物理下りリンク共有チャネル（ＰＤＳＣＨ）に対応し、
Ｕ
は、すべての設定された在圏セルのうちの
Ｕｃ
の最大値を示し、ここで
Ｕｃ
は、ＵＥが受信することになる、ｃ番目の在圏セル上の物理下りリンク共有チャネル（ＰＤＳＣＨ）と下りリンク・セミパーシステント・スケジューリング（ＳＰＳ）リリースを示す物理下りリンク制御チャネル（ＰＤＣＣＨ）との合計数である。
【００７０】
基地局装置（ｅＮＢ）によってフィードバック情報を受信するための方法が記載される。方法は、端末装置（ＵＥ）のための在圏セルｃごとに時分割多重（ＴＤＤ）上り下りリンク（ＵＬ−ＤＬ）構成を確定するように構成されたオペレーション部を含み、ＵＥのための少なくとも２つの設定された在圏セルのＴＤＤ  ＵＬ−ＤＬ構成は同じでない。方法は、第１のフィードバックファクター
【００７１】
【数２９】
0006452447.tif 000030
【００７２】
に基づいて、物理上りリンク共有チャネル（ＰＵＳＣＨ）上でハイブリッド自動再送要求／肯定応答（ＨＡＲＱ−ＡＣＫ）情報を受信するように構成された受信部も含み、在圏セルごとの第１のフィードバックファクター
【００７３】
【数３０】
0006452447.tif 000031
【００７４】
は、ＰＵＳＣＨ送信が、ＵＬ／ＤＬ構成０をもつ在圏セルに関して検出された下りリンク制御情報（ＤＣＩ）フォーマット０／４に基づいて調整される場合に、パラメーターＭｃに基づいて確定され、第１のフィードバックファクター
【００７５】
【数３１】
0006452447.tif 000032
【００７６】
は、ＵＥが、ｃ番目の各在圏セルに関してＨＡＲＱ−ＡＣＫビットをフィードバックする必要がある下りリンクサブフレームの数であり、Ｍｃは、集合Ｋｃにおける要素の数であり、集合Ｋｃは、ｃ番目の在圏セルの１つ以上のｋの値を含み、サブフレームｎにおけるＨＡＲＱ−ＡＣＫは、サブフレームｎ−ｋにおける物理下りリンク共有チャネル（ＰＤＳＣＨ）に対応する。
【００７７】
基地局装置（ｅＮＢ）によってフィードバック情報を受信するための方法が記載される。方法は、端末装置（ＵＥ）のための在圏セルｃごとに時分割多重（ＴＤＤ）上り下りリンク（ＵＬ−ＤＬ）構成を確定するように構成されたオペレーション部を含み、ＵＥのための少なくとも２つの設定された在圏セルのＴＤＤ  ＵＬ−ＤＬ構成は同じでない。方法は、第１のフィードバックファクター
【００７８】
【数３２】
0006452447.tif 000033
【００７９】
に基づいて、物理上りリンク共有チャネル（ＰＵＳＣＨ）上でハイブリッド自動再送要求／肯定応答（ＨＡＲＱ−ＡＣＫ）情報を受信するように構成された受信部も含み、在圏セルごとの第１のフィードバックファクター
【００８０】
【数３３】
0006452447.tif 000034
【００８１】
は、少なくとも１つの設定された在圏セルのタイミング参照ＵＬ／ＤＬ構成が｛５｝に属し、ＰＵＳＣＨ送信が、ある１つの在圏セルに関して検出されたＤＣＩフォーマット０／４に基づいて調整される場合に、
【００８２】
【数３４】
0006452447.tif 000035
【００８３】
に基づいて確定され、第１のフィードバックファクター
【００８４】
【数３５】
0006452447.tif 000036
【００８５】
は、ＵＥが、ｃ番目の在圏セルに関してＨＡＲＱ−ＡＣＫビットをフィードバックする必要がある下りリンクサブフレームの数であり、Ｍｃは、集合Ｋｃにおける要素の数であり、集合Ｋｃは、ｃ番目の在圏セルの１つ以上のｋの値を含み、サブフレームｎにおけるＨＡＲＱ−ＡＣＫは、サブフレームｎ−ｋにおける物理下りリンク共有チャネル（ＰＤＳＣＨ）に対応し、
Ｕ
は、すべての設定された在圏セルのうちの
Ｕｃ
の最大値を示し、ここで
Ｕｃ
は、ＵＥが受信することになる、ｃ番目の在圏セル上の物理下りリンク共有チャネル（ＰＤＳＣＨ）と下りリンク・セミパーシステント・スケジューリング（ＳＰＳ）リリースを示す物理下りリンク制御チャネル（ＰＤＣＣＨ）との合計数である。
【００８６】
基地局装置（ｅＮＢ）に複数の機能を実行させるためにｅＮＢに搭載された集積回路が記載される。基地局装置は、ｅＮＢに、在圏セルｃごとに時分割多重（ＴＤＤ）上り下りリンク（ＵＬ−ＤＬ）構成を確定するステップを行わせ、少なくとも２つの設定された在圏セルのＴＤＤ  ＵＬ−ＤＬ構成は同じでない。集積回路は、ｅＮＢに、第１のフィードバックファクター
【００８７】
【数３６】
0006452447.tif 000037
【００８８】
に基づいて、物理上りリンク共有チャネル（ＰＵＳＣＨ）上でハイブリッド自動再送要求／肯定応答（ＨＡＲＱ−ＡＣＫ）情報を受信するステップも行わせ、在圏セルごとの第１のフィードバックファクター
【００８９】
【数３７】
0006452447.tif 000038
【００９０】
は、ＰＵＳＣＨ送信が、ＵＬ／ＤＬ構成０をもつ在圏セルに関して検出された下りリンク制御情報（ＤＣＩ）フォーマット０／４に基づいて調整される場合に、パラメーターＭｃに基づき、第１のフィードバックファクター
【００９１】
【数３８】
0006452447.tif 000039
【００９２】
は、ＵＥが、ｃ番目の在圏セルに関してＨＡＲＱ−ＡＣＫビットをフィードバックする必要がある下りリンクサブフレームの数であり、Ｍｃは、集合Ｋｃにおける要素の数であり、集合Ｋｃは、ｃ番目の在圏セルの１つ以上のｋの値を含み、サブフレームｎにおけるＨＡＲＱ−ＡＣＫは、サブフレームｎ−ｋにおける物理下りリンク共有チャネル（ＰＤＳＣＨ）に対応する。
【００９３】
基地局装置（ｅＮＢ）に複数の機能を実行させるためにｅＮＢに搭載された集積回路が記載される。集積回路は、ｅＮＢに、端末装置（ＵＥ）のための在圏セルｃごとに時分割多重（ＴＤＤ）上り下りリンク（ＵＬ−ＤＬ）構成を確定するステップを行わせ、ＵＥのための少なくとも２つの設定された在圏セルのＴＤＤ  ＵＬ−ＤＬ構成は同じでない。集積回路は、ｅＮＢに、第１のフィードバックファクター
【００９４】
【数３９】
0006452447.tif 000040
【００９５】
に基づいて、物理上りリンク共有チャネル（ＰＵＳＣＨ）上でハイブリッド自動再送要求／肯定応答（ＨＡＲＱ−ＡＣＫ）情報を受信するステップも行わせ、在圏セルごとの第１のフィードバックファクター
【００９６】
【数４０】
0006452447.tif 000041
【００９７】
は、少なくとも１つの設定された在圏セルのタイミング参照ＵＬ／ＤＬ構成が｛５｝に属し、ＰＵＳＣＨ送信が、ある１つの在圏セルに関して検出されたＤＣＩフォーマット０／４に基づいて調整される場合に、
【００９８】
【数４１】
0006452447.tif 000042
【００９９】
に基づいて確定され、第１のフィードバックファクター
【０１００】
【数４２】
0006452447.tif 000043
【０１０１】
は、ＵＥが、ｃ番目の各在圏セルに関してＨＡＲＱ−ＡＣＫビットをフィードバックする必要がある下りリンクサブフレームの数であり、Ｍｃは、集合Ｋｃにおける要素の数であり、集合Ｋｃは、ｃ番目の在圏セルの１つ以上のｋの値を含み、サブフレームｎにおけるＨＡＲＱ−ＡＣＫは、サブフレームｎ−ｋにおける物理下りリンク共有チャネル（ＰＤＳＣＨ）に対応し、
Ｕ
は、すべての設定された在圏セルのうちの
Ｕｃ
の最大値を示し、ここで
Ｕｃ
は、ＵＥが受信することになる、ｃ番目の在圏セル上の物理下りリンク共有チャネル（ＰＤＳＣＨ）と下りリンク・セミパーシステント・スケジューリング（ＳＰＳ）リリースを示す物理下りリンク制御チャネル（ＰＤＣＣＨ）との合計数である。
【図面の簡単な説明】
【０１０２】
【図１】フィードバック情報を送受信するためのシステムおよび方法が実装された１つ以上の基地局装置（ｅＮＢ）および１つ以上の端末装置（ＵＥ）の一構成を示すブロック図である。
【図２】ＵＥによってフィードバック情報を送信するための方法の一構成を示すフロー図である。
【図３】ｅＮＢによってフィードバック情報を受信するための方法の一構成を示すフロー図である。
【図４】本明細書に開示されるシステムおよび方法に従って用いられる無線フレームの一例を示す図である。
【図５】本明細書に記載されるシステムおよび方法によるいくつかのＵＬ−ＤＬ構成を示す図である。
【図６】プライマリセル（ＰＣｅｌｌ）構成およびセカンダリセル（ＳＣｅｌｌ）構成の例を示す図である。
【図７】ＰＣｅｌｌ構成およびＳＣｅｌｌ構成の別の例を示す図である。
【図８】ＵＥにおいて利用される様々なコンポーネントを示す。
【図９】ｅＮＢにおいて利用される様々なコンポーネントを示す。
【図１０】フィードバック情報を送信するためのシステムおよび方法が実装されたＵＥの一構成を示すブロック図である。
【図１１】フィードバック情報を受信するためのシステムおよび方法が実装されたｅＮＢの一構成を示すブロック図である。
【発明を実施するための形態】
【０１０３】
「３ＧＰＰ」とも呼ばれる第３世代パートナーシップ・プロジェクト（３ｒｄ  Ｇｅｎｅｒａｔｉｏｎ  Ｐａｒｔｎｅｒｓｈｉｐ  Ｐｒｏｊｅｃｔ）は、第３および第４世代ワイヤレス通信システムに関する世界的に適用可能な技術仕様および技術レポートを規定することを目指した連携合意である。３ＧＰＰは、次世代モバイル・ネットワーク、システムおよびデバイスに関する仕様を規定する。
【０１０４】
３ＧＰＰロング・ターム・エボリューション（ＬＴＥ：Ｌｏｎｇ  Ｔｅｒｍ  Ｅｖｏｌｕｔｉｏｎ）は、将来の要求に対処すべく、ユニバーサル・モバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）モバイルフォンまたはデバイス規格を改善するためのプロジェクトに与えられた名称である。一態様において、ＵＭＴＳは、進化型ユニバーサル地上無線アクセス（Ｅ−ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）および進化型ユニバーサル地上無線アクセス・ネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）にサポートおよび仕様を提供するために修正された。
【０１０５】
本明細書に開示されるシステムおよび方法の少なくともいくつかの態様は、３ＧＰＰ  ＬＴＥ、ＬＴＥアドバンスト（ＬＴＥ−Ａ）および他の規格（例えば、３ＧＰＰリリース８、９、１０および／または１１）に関して記載される。しかしながら、本開示の範囲は、この点で限定されるべきではない。本明細書に開示されるシステムおよび方法の少なくともいくつかの態様は、他のタイプのワイヤレス通信システムに利用されてもよい。
【０１０６】
ワイヤレス通信デバイスは、音声および／またはデータを基地局へ通信するために用いられる電子デバイスであり、次には基地局がデバイスのネットワーク（例えば、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、インターネットなど）と通信する。本明細書にシステムおよび方法を記載するときに、ワイヤレス通信デバイスは、代わりに、移動局、ＵＥ、アクセス端末、加入者局、移動端末、遠隔局、ユーザ端末、端末、加入者ユニット、モバイルデバイスなどと呼ばれることもある。ワイヤレス通信デバイスの例は、セルラーフォン、スマートフォン、携帯情報端末（ＰＤＡ：ｐｅｒｓｏｎａｌ  ｄｉｇｉｔａｌ  ａｓｓｉｓｔａｎｔ）、ラップトップコンピュータ、ネットブック、電子書籍リーダ、ワイヤレス・モデムなどを含む。３ＧＰＰ仕様では、ワイヤレス通信デバイスは、典型的にＵＥと呼ばれる。しかしながら、本開示の範囲は、３ＧＰＰ規格に限定されるべきではないので、より一般的な用語「ワイヤレス通信デバイス」を意味するために、本明細書では用語「ＵＥ」および「ワイヤレス通信デバイス」が同義で用いられる。
【０１０７】
３ＧＰＰ仕様では、基地局は、典型的にＮｏｄｅ  Ｂ、ｅＮＢ、ｈｏｍｅ  ｅｎｈａｎｃｅｄまたはｅｖｏｌｖｅｄ  Ｎｏｄｅ  Ｂ（ＨｅＮＢ）、あるいはいくつかの他の同様の用語で呼ばれる。本開示の範囲は、３ＧＰＰ規格に限定されるべきではないので、より一般的な用語「基地局」を意味するために、本明細書では用語「基地局」、「Ｎｏｄｅ  Ｂ」、「ｅＮＢ」および「ＨｅＮＢ」が同義で用いられる。さらにまた、用語「基地局」は、アクセスポイントを示すために用いられてもよい。アクセスポイントとは、ワイヤレス通信デバイスのためにネットワーク（例えば、ローカルエリアネットワーク（ＬＡＮ：Ｌｏｃａｌ  Ａｒｅａ  Ｎｅｔｗｏｒｋ）、インターネットなど）へのアクセスを提供する電子デバイスである。用語「通信デバイス」は、ワイヤレス通信デバイスおよび／または基地局の両方を示すために用いられる。
【０１０８】
留意すべきは、本明細書では、「セル」がインターナショナル・モバイル・テレコミュニケーションズ−アドバンスト（ＩＭＴ−Ａｄｖａｎｃｅｄ：Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ）に用いるべく規格化または規制団体によって仕様が定められたいずれかの通信チャネルであり、ｅＮＢとＵＥとの間の通信に用いることが認可されたバンド（例えば、周波数バンド）として、そのすべてまたはそのサブセットが３ＧＰＰに採用されることである。「設定（構成）されたセル（ｃｏｎｆｉｇｕｒｅｄ  ｃｅｌｌ）」は、ＵＥが認識しており、情報を送信または受信することがｅＮＢによって許可されたセルである。「設定されたセル（単数または複数）」は、在圏セル（単数または複数）であってもよい。ＵＥは、すべての設定されたセル上でシステム情報を受信して必要な測定を行う。「アクティブ化されたセル（ａｃｔｉｖａｔｅｄ  ｃｅｌｌ）」は、ＵＥが送受信を行っている設定されたセルである。すなわち、アクティブ化されたセルは、ＵＥが物理下りリンク制御チャネル（ＰＤＣＣＨ）をモニタする対象となるセルであり、下りリンク送信の場合には、ＵＥがＰＤＳＣＨを復号する対象となるセルである。「非アクティブ化されたセル（ｄｅａｃｔｉｖａｔｅｄ  ｃｅｌｌ）」は、ＵＥが送信ＰＤＣＣＨをモニタしていない設定されたセルである。留意すべきは、「セル」が異なる次元または属性の観点から記載されることである。例えば、「セル」は、時間、空間（例えば、幾何形状）、伝搬および周波数特性を有する。
【０１０９】
本明細書に開示されるシステムおよび方法は、フィードバック情報を送受信するためのデバイスを記載する。これは、キャリアアグリゲーションのコンテキストでなされる。例えば、異なる時分割多重（ＴＤＤ）ＵＬ−ＤＬ構成を用いたキャリアアグリゲーション（例えば、バンド間またはバンド内キャリアアグリゲーション）に関して、ＰＵＳＣＨ上でのＰＤＳＣＨ  ＨＡＲＱ−ＡＣＫレポーティングおよび多重化が記載される。
【０１１０】
本明細書に開示されるシステムおよび方法に従って、バンド間キャリアアグリゲーションに異なるＴＤＤ  ＵＬ−ＤＬ構成が用いられる。言い換えれば、異なるバンドにおけるセルまたはコンポーネントキャリア（ＣＣ：ｃｏｍｐｏｎｅｎｔ  ｃａｒｒｉｅｒ）は、異なるＵＬ−ＤＬ構成を有しうる。キャリアアグリゲーションとは、１つ以上のキャリアの同時の利用を指す。一例において、キャリアアグリゲーションは、ＵＥに利用できる有効バンド幅を増加されるために用いられる。キャリアアグリゲーションの１つのタイプは、バンド間キャリアアグリゲーションである。バンド間キャリアアグリゲーションでは、複数のバンドからの複数のキャリアがアグリゲートされる。例えば、第１のバンドにおけるキャリアが第２のバンドにおけるキャリアとアグリゲートされる。本明細書では、用語「同時の」およびその変形は、少なくとも２つの事象が時間的に互いに重複することを示し、これら少なくとも２つの事象が正確に同時刻に始まるか、および／または終わることを意味してもしなくてもよい。本明細書に開示されるシステムおよび方法は、バンド間キャリアアグリゲーションには制約されず、バンド内キャリアアグリゲーションにも適用されてよい。
【０１１１】
本明細書では、用語「構成（ｃｏｎｆｉｇｕｒａｔｉｏｎ）」は、ＵＬ−ＤＬ構成を指す。ＵＬ−ＤＬ構成は、無線フレーム内の各サブフレームがＵＬサブフレーム、ＤＬサブフレーム、またはスペシャルサブフレームであるかどうかを明示する。ＵＬ−ＤＬ構成に関するさらなる詳細が下の表（１）に関連して示される。「ＰＣｅｌｌ構成」は、ＰＣｅｌｌに対応するＵＬ−ＤＬ構成を指す。例えば、ＰＣｅｌｌ構成は、ＰＣｅｌｌでの通信のためにｅＮＢおよびＵＥによって適用されるＵＬ−ＤＬ構成である。ＰＣｅｌｌ構成は、ｅＮＢによってＳｙｓｔｅｍＩｎｆｏｒｍａｔｉｏｎＢｌｏｃｋＴｙｐｅ１（ＳＩＢ−１）でＵＥへシグナリングされる。ＳＩＢ−１は、（例えば、ｅＮＢによって）ブロードキャスト制御チャネル上で論理チャネルとして送信される。「ＳＣｅｌｌ構成」は、ＳＣｅｌｌに対応するＵＬ−ＤＬ構成を指す。例えば、ＳＣｅｌｌ構成は、ＳＣｅｌｌでの通信のためにｅＮＢおよびＵＥによって適用されるＵＬ−ＤＬ構成である。ＳＣｅｌｌ構成は、ｅＮＢによってキャリアアグリゲーションを用いて専用無線リソース制御（ＲＲＣ：Ｒａｄｉｏ  Ｒｅｓｏｕｒｃｅ  Ｃｏｎｔｒｏｌ）シグナリングでＵＥへシグナリングされる。専用ＲＲＣシグナリングは、（例えば、ｅＮＢによって）専用制御チャネル上で論理チャネルとして送信される。
【０１１２】
加えて、または代わりに、ｅＮＢは、セルをＰＣｅｌｌとして用いてＳＣｅｌｌ構成をＳＩＢ−１でＵＥへ送信してもよい。典型的に、ｅＮＢは、セルをＰＣｅｌｌとして用いてＳＩＢ−１でＵＥへ送信するときも、キャリアアグリゲーションを用いて専用ＲＲＣシグナリングでＵＥへ送信するときも同じシステム情報パラメーターを送信するが、これが厳密に要求されるわけではない。しかしながら、セル固有のパラメーターであるパラメーターは、キャリアアグリゲーションを用いて専用ＲＲＣシグナリングによってＵＥへシグナリングされ、かつセルをＰＣｅｌｌとして用いてＵＥへシグナリングされてもよく、ＳＣｅｌｌ  ＳＩＢ−１構成またはＳＣｅｌｌ構成と呼ばれる。
【０１１３】
キャリアアグリゲーションは、ＰＣｅｌｌおよびＳＣｅｌｌ（単数または複数）のための通信リソースを同じｅＮＢスケジューラが管理することを想定する。したがって、スケジューラは、各セルの実際の構成を認識している。ＵＥは、特にセルがＰＣｅｌｌとは異なるＵＬ−ＤＬ構成を有する場合に、（例えば、ｅＮＢによって）各アグリゲートされたセルの実際のＵＬ−ＤＬ構成を通知される。
【０１１４】
時分割多重（ＴＤＤ）上り下りリンク（ＵＬ−ＤＬ）構成は、本明細書では便宜上、「ＵＬ−ＤＬ構成」または同様の用語で呼ばれる。加えて、本明細書では便宜上、ＰＣｅｌｌに対応するＵＬ−ＤＬ構成は、「ＰＣｅｌｌ構成」と呼ばれ、ＳＣｅｌｌに対応するＵＬ−ＤＬ構成は、「ＳＣｅｌｌ構成」と呼ばれる。そのうえ、本明細書では便宜上、「上りリンク」は「ＵＬ」と略記され、「下りリンク」は「ＤＬ」と略記される。
【０１１５】
（３ＧＰＰ  ＴＳ３６．２１１における表４．２−２からの）下の表（１）にＴＤＤ  ＵＬ−ＤＬ構成０〜６が示される。下りリンクから上りリンクへの切り替えポイント周期が５ミリ秒（ｍｓ）および１０ｍｓの両方のＵＬ−ＤＬ構成がサポートされる。特に、下の表（１）に示されるように、３ＧＰＰ仕様では７つのＵＬ−ＤＬ構成が指定される。表（１）では、「Ｄ」は下りリンクサブフレームを示し、「Ｓ」はスペシャルサブフレームを示し、「Ｕ」はＵＬサブフレームを示す。本明細書に開示されるシステムおよび方法に従って、表（１）に示されるＵＬ−ＤＬ構成が利用される。
【０１１６】
【表１】
0006452447.tif 000044
【０１１７】
強化されたキャリアアグリゲーション（ｅＣＡ：ｅｎｈａｎｃｅｄ  ｃａｒｒｉｅｒ  ａｇｇｒｅｇａｔｉｏｎ）は、異なるＵＬ−ＤＬ構成を用いたバンド間またはバンド内キャリアアグリゲーション（ＣＡ）を含む。例えば、本明細書に開示されるシステムおよび方法は、リリース１１でサポートされる、異なるＵＬ−ＤＬ構成を用いたバンド間ＣＡを可能にする。そのうえ、本明細書に開示されるシステムおよび方法に従って、既知のＰＤＳＣＨ  ＨＡＲＱ−ＡＣＫレポーティング・アソシエーションが利用できる。
【０１１８】
ＬＴＥリリース８および９では、ＴＤＤセルのアグリゲーションはない。ＬＴＥリリース１０では、ＴＤＤ  ＣＡは、同じＵＬ−ＤＬ構成をもつセルのアグリゲーションを許可するに過ぎない。それゆえに、すべてのセルのＨＡＲＱ−ＡＣＫビットを確定するために同じパラメーターのセットが利用される。しかしながら、リリース１０以降のリリースでは、異なるＵＬ−ＤＬ構成を用いたＴＤＤ  ＣＡにおいて、異なるセルには異なるパラメーターのセットが利用される。結果として、異なるＰＵＣＣＨフォーマット上でのＨＡＲＱ−ＡＣＫビットの多重化ならびにＰＵＳＣＨ上でのレポーティング手順に係わる新たな課題がもたらされる。
【０１１９】
前述のように、リリース１０におけるＴＤＤキャリアアグリゲーションは、同じＴＤＤ構成をもつセルのアグリゲーションを許容するに過ぎない。ＰＵＳＣＨ上でのＰＤＳＣＨ  ＨＡＲＱ−ＡＣＫレポーティングは、ＤＣＩフォーマット０／４（例えば、ＤＣＩフォーマット０またはＤＣＩフォーマット４）をもつ検出されたＰＤＣＣＨに基づいて調整されたＰＵＳＣＨ送信において、セルに関してレポートされることになるサブフレームの数およびＨＡＲＱ−ＡＣＫビットを確定するために、フィードバックファクター
【０１２０】
【数４３】
0006452447.tif 000045
【０１２１】
を用いる。
【０１２２】
異なるＴＤＤ構成を用いたＴＤＤ  ＣＡでは、セルの
【０１２３】
【数４４】
0006452447.tif 000046
【０１２４】
の有効範囲が、同じ構成をもつセルとは異なる。また、
【０１２５】
【数４５】
0006452447.tif 000047
【０１２６】
を確定するための手順も、リリース１０とは異なる。そのうえ、ＵＬグラント・タイミングが異なるため、異なる
【０１２７】
【数４６】
0006452447.tif 000048
【０１２８】
値をもつ異なるサブフレームから複数のＵＬグラントがトリガされ、リリース１１以降ではこれを指定する必要がある。
【０１２９】
ＵＬ−ＤＬ構成０をもつセル上でＵＬグラントが発行される場合、
【０１３０】
【数４７】
0006452447.tif 000049
【０１３１】
は、存在しない。したがって、ＰＵＳＣＨ送信においてＤＣＩフォーマット０／４をもつ検出されたＰＤＣＣＨに基づいて調整される場合に、他のセルのＨＡＲＱ−ＡＣＫビットの数をどのように確定するかを指定する必要がある。そのうえ、セルまたはセルの参照構成としてＵＬ−ＤＬ構成５が用いられる場合には、ＨＡＲＱ−ＡＣＫビットを
【０１３２】
【数４８】
0006452447.tif 000050
【０１３３】
に基づいて確定するための手順を指定する必要がある。
【０１３４】
例えば、ｅＮＢおよびＵＥによってフィードバック情報を送受信するための方法が記載される。方法は、複数のセルに関して上り下りリンク（ＵＬ−ＤＬ）構成を確定するステップを含み、複数のセルのうちの少なくとも２つは、異なる上り下りリンク（ＵＬ−ＤＬ）構成を有する。方法は、第２のフィードバックファクターに基づいて、複数のセルに関して第１のフィードバックファクターを確定するステップも含む。方法は、複数のセルに関する第１のフィードバックファクターに基づいて、物理上りリンク共有チャネル（ＰＵＳＣＨ）上でハイブリッド自動再送要求／肯定応答（ＨＡＲＱ−ＡＣＫ）情報を送受信するステップをさらに含む。
【０１３５】
それぞれの第１のフィードバックファクターは、
【０１３６】
【数４９】
0006452447.tif 000051
【０１３７】
であり、ここで
【０１３８】
【数５０】
0006452447.tif 000052
【０１３９】
は、ｃ番目の在圏セルに関してＨＡＲＱ−ＡＣＫビットをフィードバックするための下りリンクサブフレームの数である。第２のフィードバックファクターは、ＤＣＩフォーマット０／４における下りリンク割り当てインデックス（ＤＡＩ：Ｄｏｗｎｌｉｎｋ  Ａｓｓｉｇｎｍｅｎｔ  Ｉｎｄｅｘ）に基づいて確定される
【０１４０】
【数５１】
0006452447.tif 000053
【０１４１】
であってもよい。ＵＬ−ＤＬ構成５が複数のセルのうちの１つに設定されるか、または複数のセルのうちの１つのための参照構成である場合、第１のフィードバックファクターは、第３のフィードバックファクター
Ｕ
に基づいて確定され、ここで
Ｕ
は、すべての設定された在圏セルのうちの
Ｕｃ
の最大値を示し、
Ｕｃ
は、ｃ番目の在圏セル上で受信したＰＤＳＣＨと下りリンク・セミパーシステント・スケジューリング（ＳＰＳ）リリースを示すＰＤＣＣＨとの合計数である。
【０１４２】
第１のフィードバックファクターは、フィードバックパラメーターＭｃに基づいて確定される。例えば、構成に依存して、
【０１４３】
【数５２】
0006452447.tif 000054
【０１４４】
または、
【０１４５】
【数５３】
0006452447.tif 000055
【０１４６】
などである。
【０１４７】
本明細書に開示されるシステムおよび方法に従って、ＵＬ−ＤＬ構成１〜６のうちの異なるＵＬ−ＤＬ構成を用いたＴＤＤ  ＣＡでは、
【０１４８】
【数５４】
0006452447.tif 000056
【０１４９】
の範囲は、ＤＣＩフォーマット０／４において確定される。
【０１５０】
【数５５】
0006452447.tif 000057
【０１５１】
の範囲は、すべてのセルのＭｃのうちの最大値に基づいて確定される（Ｍｃに関するさらなる詳細は以下に示される）。従って、異なるＴＤＤ構成を用いたＴＤＤ  ＣＡを伴うリリース１１において、セルのＤＣＩフォーマット０／４をもつ検出されたＰＤＣＣＨ（例えば、ＵＬグラント）上に示される
【０１５２】
【数５６】
0006452447.tif 000058
【０１５３】
値は、いくつかの事例ではセル自体のＭｃより大きい。留意すべきは、リリース１０ではこれが許可されないことである。ＵＬ−ＤＬ構成５がセルに設定されるか、またはセルの参照構成として用いられる場合には、サブフレーム２（例えば、構成５ではＵＬサブフレームがサブフレーム２である）におけるＰＵＳＣＨ上でのＰＤＳＣＨ  ＨＡＲＱ−ＡＣＫレポーティングに関して、すべてのセルの
【０１５４】
【数５７】
0006452447.tif 000059
【０１５５】
およびＨＡＲＱ−ＡＣＫビットは、ＵＬ−ＤＬ構成５に対するルールに従う。
【０１５６】
本明細書に開示されるシステムおよび方法は、ＵＬ−ＤＬ構成０をもつセルによって発行されたＵＬグラントに対して調整されたＰＵＳＣＨレポーティングにおいて、他のセルに用いられるフィードバックファクター
【０１５７】
【数５８】
0006452447.tif 000060
【０１５８】
およびＨＡＲＱ−ＡＣＫビットを確定することを可能にする。そのうえ、本明細書に開示されるシステムおよび方法は、異なるＵＬグラント・タイミングをもつＤＣＩフォーマット０／４における
【０１５９】
【数５９】
0006452447.tif 000061
【０１６０】
の値を確定することを可能にする。加えて、本明細書に開示されるシステムおよび方法は、複数の
【０１６１】
【数６０】
0006452447.tif 000062
【０１６２】
をもつ複数のセルから複数のＵＬグラントがトリガされるときに、セレクション方式を確定することを可能にする。
【０１６３】
明確にするために、１つ以上のセルに関してリリース１０におけるＰＵＳＣＨ上でのＨＡＲＱ−ＡＣＫレポーティングが記載される。特に、リリース１０におけるチャネル状態情報（ＣＳＩ：Ｃｈａｎｎｅｌ  Ｓｔａｔｅ  Ｉｎｆｏｒｍａｔｉｏｎ）の確定およびＨＡＲＱ−ＡＣＫレポーティングのためのＵＥ手順は、３ＧＰＰ  ＴＳ３６．２１３の１０．１節に詳述されており、その一部が以下に示される。リリース１０では、ＰＵＣＣＨ−ＰＵＳＣＨ同時が設定されていない場合に、ＰＤＳＣＨ  ＨＡＲＱ−ＡＣＫはＰＵＳＣＨ上でレポートされる。
【０１６４】
ＵＥが１つ以上の在圏セルを用いるように設定され、ＰＵＳＣＨ−ＰＵＣＣＨ同時送信用には設定されていない場合、サブフレームｎにおいてＵＣＩは、
−ＵＥがＰＵＳＣＨを送信していなければ、フォーマット１／１ａ／１ｂ／３または２／２ａ／２ｂを用いてＰＵＣＣＨ上で送信され、
−ＵＣＩが非周期的なＣＳＩ、または非周期的なＣＳＩおよびＨＡＲＱ−ＡＣＫからなれば、７．２．１節に示される在圏セルのＰＵＳＣＨ上で送信され、
−ＵＣＩが周期的なＣＳＩおよび／またはＨＡＲＱ−ＡＣＫからなり、かつ、ＵＥがサブフレームｎにおいてプライマリセルのＰＵＳＣＨ上で送信していれば、プライマリセルのＰＵＳＣＨ送信がランダムアクセスレスポンス・グラントまたは競合ベースのランダムアクセス手順の一部としての同じトランスポートブロックの再送信に対応して、ＵＣＩが送信されない場合を除いて、プライマリセルのＰＵＳＣＨ上で送信され、
−ＵＣＩが周期的なＣＳＩおよび／またはＨＡＲＱ−ＡＣＫからなり、かつ、ＵＥがプライマリセル上ではＰＵＳＣＨを送信していないが、少なくとも１つのセカンダリセル上でＰＵＳＣＨを送信していれば、最小のＳＣｅｌｌＩｎｄｅｘをもつセカンダリセルのＰＵＳＣＨ上で送信されるものとする。
ＨＡＲＱ−ＡＣＫレポーティングに関するリリース１０の手順は、３ＧＰＰ  ＴＳ３６．２１３の７．３節に示される。ＰＵＳＣＨレポーティングに関するいくつかのセグメントが次のように示される。
【０１６５】
ＴＤＤ  ＵＬ−ＤＬ構成１〜６および１つ以上の在圏セルを用いるように設定されたＵＥ、または、ＴＤＤ  ＵＬ−ＤＬ構成１〜６、および１つの在圏セルならびにＰＵＣＣＨフォーマット３を用いるように設定されたＵＥでは、
【０１６６】
【数６１】
0006452447.tif 000063
【０１６７】
の値は、表７．３−Ｚに従って、サブフレームｎ−ｋ’でのＤＣＩフォーマット０／４における下りリンク割り当てインデックス（ＤＡＩ）によって確定され、ここでｋ’は、表７．３−Ｙで定義される。ＵＥへのＰＤＳＣＨ送信も下りリンクＳＰＳリソース・リリースを示すＰＤＣＣＨも、いずれも意図されていない場合、ＵＥは、
【０１６８】
【数６２】
0006452447.tif 000064
【０１６９】
の値が、送信されるのであれば、ＤＣＩフォーマット０／４におけるＤＡＩによって４に設定されると予測できる。
【０１７０】
すべてのＴＤＤ  ＵＬ−ＤＬ構成に関して、
ＵＤＡＩ，ｃ
を、在圏セルｃにおいてサブフレーム（単数または複数）ｎ−ｋ内でＵＥによって検出される、ＰＤＳＣＨ送信（単数または複数）が割り当てられたＰＤＣＣＨ（単数または複数）と下りリンクＳＰＳリリースを示すＰＤＣＣＨとの合計数とし、ここで
ｋ∈Ｋ
である。１つの在圏セルを用いるように設定されるときには、
ＵＤＡＩ，ｃ
におけるサブスクリプトｃを省略できる。ＮＳＰＳを、サブフレーム（単数または複数）ｎ−ｋ内に対応するＰＤＣＣＨをもたない、０または１でありうる、ＰＤＳＣＨ送信の数とし、ここで
ｋ∈Ｋ
である。
【０１７１】
ＴＤＤでは、ＨＡＲＱ−ＡＣＫの送信のためにＰＵＣＣＨフォーマット３が設定されるときに、ＲＲＣによって設定されるｃ番目の在圏セルに関するＨＡＲＱ−ＡＣＫフィードバック・ビット
【０１７２】
【数６３】
0006452447.tif 000065
【０１７３】
は、次にように構築される。ｃ番目の在圏セルに設定された伝送モードが１つのトランスポートブロックをサポートするか、または、空間的なＨＡＲＱ−ＡＣＫバンドリングが適用される場合に、
ｃ≧０、
【０１７４】
【数６４】
0006452447.tif 000066
【０１７５】
、そうでない場合には、
【０１７６】
【数６５】
0006452447.tif 000067
【０１７７】
であり、ここで
【０１７８】
【数６６】
0006452447.tif 000068
【０１７９】
は、ＵＥが、ｃ番目の各在圏セルに関してＨＡＲＱ−ＡＣＫビットをフィードバックする必要がある下りリンクサブフレームの数である。
【０１８０】
−ＵＥがＰＵＣＣＨ上で送信している場合には、
【０１８１】
【数６７】
0006452447.tif 000069
【０１８２】
であり、ここでＭは、サブフレームｎと関連付けられた、表１０．１．３．１−１で定義される集合Ｋにおける要素の数であり、集合Ｋは、通常の下りリンクＣＰをもつ構成０および５のスペシャルサブフレームも、拡張された下りリンクＣＰをもつ構成０および４のスペシャルサブフレームも含まない。そうでない場合には、
【０１８３】
【数６８】
0006452447.tif 000070
【０１８４】
である。
【０１８５】
−ＴＤＤ  ＵＬ−ＤＬ構成０、または、ＤＣＩフォーマット０／４をもつ検出されたＰＤＣＣＨに基づいて調整されていないＰＵＳＣＨ送信では、ＵＥは、
【０１８６】
【数６９】
0006452447.tif 000071
【０１８７】
を想定するものとし、ここでＭは、サブフレームｎと関連付けられた、表１０．１．３．１−１で定義される集合Ｋにおける要素の数であり、集合Ｋは、通常の下りリンクＣＰをもつ構成０および５のスペシャルサブフレームも、拡張された下りリンクＣＰをもつ構成０および４のスペシャルサブフレームも含まない。そうでない場合には、
【０１８８】
【数７０】
0006452447.tif 000072
【０１８９】
である。ＵＥがサブフレーム（単数または複数）ｎ−ｋにおいてＰＤＳＣＨも下りリンクＳＰＳリリースを示すＰＤＣＣＨも受信しない場合に、ＵＥは、ＰＵＳＣＨ上でＨＡＲＱ−ＡＣＫを送信しないものとし、ここで
ｋ∈Ｋ
である。
【０１９０】
−ＴＤＤ  ＵＬ−ＤＬ構成｛１，２，３，４，６｝およびＤＣＩフォーマット０／４をもつ検出されたＰＤＣＣＨに基づいて調整されたＰＵＳＣＨ送信では、ＵＥは、
【０１９１】
【数７１】
0006452447.tif 000073
【０１９２】
を想定するものとする。ＵＥがサブフレーム（単数または複数）ｎ−ｋにおいてＰＤＳＣＨも下りリンクＳＰＳリリースを示すＰＤＣＣＨも受信しない場合に、ＵＥは、ＰＵＳＣＨ上でＨＡＲＱ−ＡＣＫを送信しないものとし、ここで
ｋ∈Ｋおよび
【０１９３】
【数７２】
0006452447.tif 000074
【０１９４】
である。
【０１９５】
−ＴＤＤ  ＵＬ−ＤＬ構成５およびＤＣＩフォーマット０／４をもつ検出されたＰＤＣＣＨに基づいて調整されたＰＵＳＣＨ送信では、ＵＥは、
【０１９６】
【数７３】
0006452447.tif 000075
【０１９７】
を想定するものとし、ここで
Ｕ
は、すべての設定された在圏セルのうちの
Ｕｃ
の最大値を示し、
Ｕｃ
は、ｃ番目の在圏セル上でサブフレーム（単数または複数）ｎ−ｋにおいて受信したＰＤＳＣＨと下りリンクＳＰＳリリースを示すＰＤＣＣＨとの合計数であり、
ｋ∈Ｋ
である。ＵＥがサブフレーム（単数または複数）ｎ−ｋにおいてＰＤＳＣＨも下りリンクＳＰＳリリースを示すＰＤＣＣＨも受信しない場合に、ＵＥは、ＰＵＳＣＨ上でＨＡＲＱ−ＡＣＫを送信しないものとし、ここで
ｋ∈Ｋおよび
【０１９８】
【数７４】
0006452447.tif 000076
【０１９９】
である。
【０２００】
ＴＤＤでは、ＨＡＲＱ−ＡＣＫの送信のためにＰＵＣＣＨフォーマット３が設定されるときに、
−ＴＤＤ  ＵＬ−ＤＬ構成１〜６に関して、サブフレームｎ−ｋにおける対応するＰＤＣＣＨをもつＰＤＳＣＨ送信に対するＨＡＲＱ−ＡＣＫ、または、下りリンクＳＰＳリリースを示すＰＤＣＣＨに対するＨＡＲＱ−ＡＣＫは、ｃ番目の在圏セルに設定された伝送モードが１つのトランスポートブロックをサポートするか、または空間的なＨＡＲＱ−ＡＣＫバンドリングが適用される場合に、
【０２０１】
【数７５】
0006452447.tif 000077
【０２０２】
と関連付けられ、そうでない場合には、
【０２０３】
【数７６】
0006452447.tif 000078
【０２０４】
および
【０２０５】
【数７７】
0006452447.tif 000079
【０２０６】
と関連付けられ、ここでＤＡＩ（ｋ）は、サブフレームｎ−ｋで検出されるＤＣＩフォーマット１Ａ／１Ｂ／１Ｄ／１／２／２Ａ／２Ｂ／２ＣにおけるＤＡＩの値であり、
【０２０７】
【数７８】
0006452447.tif 000080
【０２０８】
および
【０２０９】
【数７９】
0006452447.tif 000081
【０２１０】
は、それぞれコードワード０およびコードワード１に対するＨＡＲＱ−ＡＣＫフィードバックである。ＮＳＰＳ＞０の場合には、対応するＰＤＣＣＨをもたないＰＤＳＣＨ送信と関連付けられたＨＡＲＱ−ＡＣＫが、
【０２１１】
【数８０】
0006452447.tif 000082
【０２１２】
へマッピングされる。検出されるＰＤＳＣＨ送信を何ももたない、または、下りリンクＳＰＳリリースを示す検出されるＰＤＣＣＨをもたないＨＡＲＱ−ＡＣＫフィードバック・ビットは、ＮＡＣＫに設定される。
−ＴＤＤ  ＵＬ−ＤＬ構成０では、サブフレームｎ−ｋにおけるＰＤＳＣＨ送信に対するＨＡＲＱ−ＡＣＫ、または、下りリンクＳＰＳリリースを示すＰＤＣＣＨに対するＨＡＲＱ−ＡＣＫは、ｃ番目の在圏セルに設定された伝送モードが１つのトランスポートブロックをサポートするか、または、空間的なＨＡＲＱ−ＡＣＫバンドリングが適用される場合に
【０２１３】
【数８１】
0006452447.tif 000083
【０２１４】
と関連付けられ、そうでない場合には、
【０２１５】
【数８２】
0006452447.tif 000084
【０２１６】
および
【０２１７】
【数８３】
0006452447.tif 000085
【０２１８】
と関連付けられ、ここで、
【０２１９】
【数８４】
0006452447.tif 000086
【０２２０】
および
【０２２１】
【数８５】
0006452447.tif 000087
【０２２２】
は、それぞれコードワード０およびコードワード１に対するＨＡＲＱ−ＡＣＫフィードバックである。検出されるＰＤＳＣＨ送信を何ももたない、または、下りリンクＳＰＳリリースを示す検出されるＰＤＣＣＨをもたないＨＡＲＱ−ＡＣＫフィードバック・ビットは、ＮＡＣＫに設定される。
【０２２３】
ＴＤＤでは、ＨＡＲＱ−ＡＣＫの送信および２つの設定された在圏セルのために、チャネルセレクションを伴うフォーマット１ｂが設定されるときに、ＰＵＳＣＨ上でのＨＡＲＱ−ＡＣＫフィードバック・ビット
【０２２４】
【数８６】
0006452447.tif 000088
【０２２５】
は、次のように構築される。
【０２２６】
−ＴＤＤ  ＵＬ−ＤＬ構成０では、１０．１．３．２．１節に定義されるように、
【０２２７】
【数８７】
0006452447.tif 000089
【０２２８】
である。ＵＥがサブフレーム（単数または複数）ｎ−ｋにおいてＰＤＳＣＨも下りリンクＳＰＳリリースを示すＰＤＣＣＨも受信しない場合に、ＵＥは、ＰＵＳＣＨ上でＨＡＲＱ−ＡＣＫを送信しないものとし、ここで
ｋ∈Ｋ
である。
【０２２９】
−ＴＤＤ  ＵＬ−ＤＬ構成｛１，２，３，４，６｝、および、
【０２３０】
【数８８】
0006452447.tif 000090
【０２３１】
であるＤＣＩフォーマット０／４をもつ検出されたＰＤＣＣＨに基づいて調整されたＰＵＳＣＨ送信では、
【０２３２】
【数８９】
0006452447.tif 000091
【０２３３】
は、
【０２３４】
【数９０】
0006452447.tif 000092
【０２３５】
である場合には、２つまでのトランスポートブロックをサポートする下りリンク伝送モードを用いるように設定されたすべての在圏セルに対して、ＤＬサブフレーム内の複数のコードワードにわたる空間的なＨＡＲＱ−ＡＣＫバンドリングが行われることを除いて、ＨＡＲＱ−ＡＣＫの送信のためにＰＵＣＣＨフォーマット３が設定されているかのように確定される。
【０２３６】
−ＴＤＤ  ＵＬ−ＤＬ構成｛１，２，３，４，６｝および
【０２３７】
【数９１】
0006452447.tif 000093
【０２３８】
であるＤＣＩフォーマット０／４をもつ検出されたＰＤＣＣＨに基づいて調整されたＰＵＳＣＨ送信では、それぞれ表１０．１．３．２−５または表１０．１．３．２−６で定義されるように、
【０２３９】
【数９２】
0006452447.tif 000094
【０２４０】
であり、ここでＭの値は、
【０２４１】
【数９３】
0006452447.tif 000095
【０２４２】
によって置き換えられる。ＵＥがサブフレーム（単数または複数）ｎ−ｋにおいてＰＤＳＣＨも下りリンクＳＰＳリリースを示すＰＤＣＣＨも受信しない場合に、ＵＥは、ＰＵＳＣＨ上でＨＡＲＱ−ＡＣＫを送信しないものとし、ここで
ｋ∈Ｋおよび
【０２４３】
【数９４】
0006452447.tif 000096
【０２４４】
である。
【０２４５】
−ＴＤＤ  ＵＬ−ＤＬ構成｛１，２，３，４，６｝およびＤＣＩフォーマット０／４をもつ検出されたＰＤＣＣＨに基づいて調整されていないＰＵＳＣＨ送信ならびにＭ＝１または２をもつサブフレームｎでは、１０．１．３．２．１節に定義されるように、
【０２４６】
【数９５】
0006452447.tif 000097
【０２４７】
である。ＵＥがサブフレーム（単数または複数）ｎ−ｋにおいてＰＤＳＣＨも下りリンクＳＰＳリリースを示すＰＤＣＣＨも受信しない場合に、ＵＥは、ＰＵＳＣＨ上でＨＡＲＱ−ＡＣＫを送信しないものとし、ここで
ｋ∈Ｋ
である。
【０２４８】
−ＴＤＤ  ＵＬ−ＤＬ構成｛１，２，３，４，６｝およびＤＣＩフォーマット０／４をもつ検出されたＰＤＣＣＨに基づいて調整されていないＰＵＳＣＨ送信ならびにＭ＝３または４をもつサブフレームｎでは、それぞれ表１０．１．３．２−５または表１０．１．３．２−６で定義されるように、
【０２４９】
【数９６】
0006452447.tif 000098
【０２５０】
である。ＵＥがサブフレーム（単数または複数）ｎ−ｋにおいてＰＤＳＣＨも下りリンクＳＰＳリリースを示すＰＤＣＣＨも受信しない場合に、ＵＥは、ＰＵＳＣＨ上でＨＡＲＱ−ＡＣＫを送信しないものとし、ここで
ｋ∈Ｋ
である。
【０２５１】
いくつかの実装では、異なるＴＤＤ構成を用いたＨＡＲＱ−ＡＣＫレポーティングの１つ以上の態様が次のように示される。キャリアアグリゲーションの強化においては、異なるバンド上の異なるＴＤＤ上り下りリンク（ＵＬ−ＤＬ）構成のサポートが考慮される。異なるＴＤＤ構成を用いたキャリアアグリゲーションは、バンド間キャリアアグリゲーションと呼ばれる。簡単にするために、本明細書では、ＰＣｅｌｌ  ＳＩＢ１構成はＰＣｅｌｌ構成と呼ばれ、ＳＣｅｌｌ  ＳＩＢ１構成はＳＣｅｌｌ構成と呼ばれる。
【０２５２】
現在承認されているＬＴＥ  リリース１０では、キャリアアグリゲーションが利用されるときに、送信された下りリンク通信のハイブリッド自動再送要求／肯定応答（「ＨＡＲＱ−ＡＣＫ」）が物理上りリンク制御チャネル（ＰＵＣＣＨ）またはＰＵＳＣＨ上で送信される。本明細書に開示されるシステムおよび方法は、ＵＥがＰＵＳＣＨ上で送信しているときに、各セルのＨＡＲＱ−ＡＣＫビットの数を示し、かつ確定するステップを記載する。本明細書に開示されるシステムおよび方法は、ＰＵＳＣＨ送信がＨＡＲＱ−ＡＣＫレポーティングのためにＤＣＩフォーマット０／４をもつ検出されたＰＤＣＣＨに基づいて調整されることも記載する。
【０２５３】
ＲＡＮＩ＃６８およびＲＡＮＩ＃６８ｂｉｓでは、ＰＤＳＣＨ  ＨＡＲＱ−ＡＣＫレポーティング・アソシエーションが以下に従って示された。ＰＤＳＣＨ  ＨＡＲＱ−ＡＣＫタイミングは、ＰＣｅｌｌ構成がＳＣｅｌｌ構成の上位集合、ＳＣｅｌｌ構成の部分集合であるか、いずれでもないかどうかに依存して、３つのケース（ケースＡ、ＢおよびＣ）に分類される。ケースＡでは、ＳＣｅｌｌ構成によって示されるＤＬサブフレームのセットが、ＰＣｅｌｌ構成によって示されるＤＬサブフレームの部分集合であり、ＳＣｅｌｌは、ＰＣｅｌｌ構成に従う。
【０２５４】
ケースＢおよびケースＣに関するＰＤＳＣＨ  ＨＡＲＱ−ＡＣＫレポーティングは、次のように実装される。ケースＢに関しては、少なくとも自己スケジューリングおよび全２重通信のコンテキストにおいて、ＰＣｅｌｌ構成によって示されるＤＬサブフレームのセットが、ＳＣｅｌｌ構成によって示されるＤＬサブフレームの部分集合であり、ＳＣｅｌｌは、ＳＣｅｌｌ構成に従う。いくつかの実装では、半２重通信のコンテキストにおいて同じルールが適用されてよい。クロスキャリアスケジューリングの場合は、さらなる研究のために残される。
【０２５５】
ケースＣに関しては、少なくとも自己スケジューリングおよび全２重通信のコンテキストにおいて、ＳＣｅｌｌ構成によって示されるＤＬサブフレームのセットが、ＰＣｅｌｌ構成によって示されるＤＬサブフレームの部分集合でも上位集合でもなく、ＳＣｅｌｌは、下の表（２）に示されるような参照構成に従う。参照構成は、ＰＣｅｌｌおよびＳＣｅｌｌの両方に重複したＵＬサブフレームに基づいて選択される。いくつかの実装では、半２重通信のコンテキストにおいて同じルールが適用されてよい。クロスキャリアスケジューリングの場合は、さらなる研究のために残される。
【０２５６】
下の表（２）は、ＰＤＳＣＨ  ＨＡＲＱ−ＡＣＫレポーティングのためのＵＬ−ＤＬ構成を示す。特に、列はＰＣｅｌｌ（ＴＤＤ  ＵＬ−ＤＬ）構成０〜６を示し、一方で行はＳＣｅｌｌ（ＴＤＤ  ＵＬ−ＤＬ）構成０〜６を示す。ＰＣｅｌｌ構成およびＳＣｅｌｌ構成が交差するグリッドは、ケースに基づいてＳＣｅｌｌが従う、対応するＰＤＳＣＨ  ＨＡＲＱ−ＡＣＫタイミングをもつＵＬ−ＤＬ構成を示す。表（２）では、「Ａ」は上記のケースＡを表す。ケースＡでは、ＳＣｅｌｌ  ＰＤＳＣＨ  ＨＡＲＱ−ＡＣＫタイミングは、ＰＣｅｌｌ構成に従う。表（２）では、「Ｂ」は上記のようなケースＢを表す。ケースＢでは、ＳＣｅｌｌ  ＰＤＳＣＨ  ＨＡＲＱ−ＡＣＫタイミングは、ＳＣｅｌｌ構成に従う。表（２）では、「Ｃ」は上記のようなケースＣを表す。ケースＣでは、ＳＣｅｌｌ  ＰＤＳＣＨ  ＨＡＲＱ−ＡＣＫタイミングは、表（２）で「Ｃ」の事例に付随する数によって示される参照（ＴＤＤ  ＵＬ−ＤＬ）構成に従う。言い換えれば、表（２）のグリッドにおける数は、ケースＣの事例でＳＣｅｌｌ  ＰＤＳＣＨ  ＨＡＲＱ−ＡＣＫタイミングが従う参照構成である。例えば、ＰＣｅｌｌ構成がＵＬ-ＤＬ構成３であり、ＳＣｅｌｌ構成がＵＬ−ＤＬ構成１であるときに、ＳＣｅｌｌ  ＰＤＳＣＨ  ＨＡＲＱ−ＡＣＫタイミングは構成４に従う。
【０２５７】
【表２】
0006452447.tif 000099
【０２５８】
ＬＴＥリリース１０では、フレーム構造タイプ２をもつ１つ以上の在圏セルのアグリゲーションをサポートするＵＥが上位レイヤによって設定される。ＵＥは、フレーム構造タイプ２をもつ１つ以上の在圏セルを用いるように設定されるときに、ＨＡＲＱ−ＡＣＫの送信のためにチャネルセレクションを伴うＰＵＣＣＨフォーマット１ｂ、またはＰＵＣＣＨフォーマット３のいずれかを用いるように設定される。いくつかの実装では（例として、ＲＡＮ１＃６９に従って）、異なるバンド上の異なるＵＬ−ＤＬ構成を用いたＴＤＤバンド間キャリアアグリゲーションを目的として、ＵＥが、ＨＡＲＱ−ＡＣＫ送信のためにＰＵＣＣＨフォーマット３、またはチャネルセレクションを伴うＰＵＣＣＨフォーマット１ｂを用いるように設定される。
【０２５９】
加えて、または代わりに、少なくとも自己スケジューリングのケースでは、ＨＡＲＱ−ＡＣＫ送信のためにＰＵＣＣＨフォーマット３を用いるように設定されたＵＥに関して、ＨＡＲＱ−ＡＣＫ送信は、以下を除いて、リリース１０仕様に従って進む。ＵＬサブフレームｎと関連付けられた在圏セルｃ上の（Ｋｃで示される）ＤＬサブフレームのセットは、ＤＬサブフレームｎ−ｋを含み、ここで
ｋ∈Ｋ
であり、Ｋは、在圏セルｃのタイミング参照構成に従って確定される。ＵＬグラントによって調整されていない、ＵＬサブフレームｎにおけるＰＵＣＣＨまたはＰＵＳＣＨ上でのＨＡＲＱ−ＡＣＫ送信では、フィードバックファクター
【０２６０】
【数９７】
0006452447.tif 000100
【０２６１】
であり、ここでＭｃは、集合Ｋｃにおける要素の数である。
【０２６２】
ＵＬグラントによって調整された、ＵＬサブフレームｎにおけるＰＵＳＣＨ上でのＨＡＲＱ−ＡＣＫ送信に関して、タイミング参照構成がＵＬ−ＤＬ構成１、２、３、４または６である場合に、フィードバックファクター
【０２６３】
【数９８】
0006452447.tif 000101
【０２６４】
である。ＵＬグラントによって調整された、ＵＬサブフレームｎにおけるＰＵＳＣＨ上でのＨＡＲＱ−ＡＣＫ送信に関して、（タイミング参照構成である）ＴＤＤ  ＵＬ−ＤＬ構成がＵＬ−ＤＬ構成５である場合の
【０２６５】
【数９９】
0006452447.tif 000102
【０２６６】
の値は、既知のアプローチでは扱われない。既知のアプローチで扱われない別のケースは、ＵＬグラントによって調整された、ＵＬサブフレームｎにおけるＰＵＳＣＨ上でのＨＡＲＱ−ＡＣＫ送信に関して、タイミング参照構成がＵＬ−ＤＬ構成０の場合である。タイミング参照構成とは、在圏セルｃ上でＰＤＳＣＨ  ＨＡＲＱタイミングが従うＴＤＤ  ＵＬ−ＤＬ構成のことである。クロスキャリアスケジューリングの場合のフォーマット３の処理も、既知のアプローチでは扱われない。
【０２６７】
本明細書に開示されるシステムおよび方法は、未解決の課題または扱われない課題に対処し、ＰＵＳＣＨ上でのＨＡＲＱ−ＡＣＫレポーティングのためのアプローチを提供する。リリース１０では、すべてのセルが同じＴＤＤ構成を有し、従って、同じＵＬグラント・タイミングを有する。それ故に、ＵＥがＨＡＲＱ−ＡＣＫ送信のためにＰＵＣＣＨフォーマット３を用いるように設定される場合、ＵＬグラントによって調整された、ＵＬサブフレームｎにおけるＰＵＳＣＨ上でのＨＡＲＱ−ＡＣＫ送信に関して、
【０２６８】
【数１００】
0006452447.tif 000103
【０２６９】
は、すべての設定されたセルのうち、ＰＤＳＣＨ送信（単数または複数）を割り当てたＰＤＣＣＨ（単数または複数）と下りリンクＳＰＳリリースを示すＰＤＣＣＨとの合計の最大数である。加えて、すべての設定されたセルに対して、同じ
【０２７０】
【数１０１】
0006452447.tif 000104
【０２７１】
を適用できる。
【０２７２】
本明細書に開示されるシステムおよび方法は、（例えば、ＲＡＮ１＃６９から残された）扱われない場合を取り扱うためのアプローチを提供する。そのうえ、異なるＴＤＤ構成を用いたＴＤＤ  ＣＡに関して、
【０２７３】
【数１０２】
0006452447.tif 000105
【０２７４】
を確定するためのアプローチが提供される。留意すべきは、ＲＡＮ１＃６９が
【０２７５】
【数１０３】
0006452447.tif 000106
【０２７６】
の使用およびＨＡＲＱ−ＡＣＫビットの確定にいくらかの曖昧さを残したことである。異なるＴＤＤ構成を用いたＴＤＤ  ＣＡでは、異なるセルのＵＬグラント・タイミングは、異なるＵＬグラント・アソシエーションおよび異なるＨＡＲＱ−ＡＣＫアソシエーション・セットを有する。異なるＵＬグラント・タイミングをもつ複数のセル上で複数のＵＬグラントが発行される場合、ＵＥは、（例えば、ｅＮＢから送信された）同じ、または異なる値をもつ複数の
【０２７７】
【数１０４】
0006452447.tif 000107
【０２７８】
を受信する。ＵＥがＨＡＲＱ−ＡＣＫ送信のためにＰＵＣＣＨフォーマット３を用いるように設定される場合、ＵＬグラントによって調整された、ＵＬサブフレームｎにおけるＰＵＳＣＨ上でのＨＡＲＱ−ＡＣＫ送信に関して、既知のアプローチで扱われない課題には、
【０２７９】
【数１０５】
0006452447.tif 000108
【０２８０】
によって表される有効値、
【０２８１】
【数１０６】
0006452447.tif 000109
【０２８２】
の計算および解釈、ならびに複数のセルから（例えば、特にそれらが異なる値を運ぶ場合）の複数の
【０２８３】
【数１０７】
0006452447.tif 000110
【０２８４】
の管理が含まれる。
【０２８５】
本明細書に開示されるシステムおよび方法は、異なるＴＤＤ構成が用いられるときに、少なくともＰＤＳＣＨ自己スケジューリングのケースに適用される。クロスキャリアスケジューリングに関しては、ＳＣｅｌｌ  ＰＤＳＣＨ  ＨＡＲＱ−ＡＣＫタイミングに２つの選択肢がある。１つの選択肢では、ＳＣｅｌｌが上りリンクサブフレーム・レポーティングにおいてＰＣｅｌｌのタイミングに従う場合、ＳＣｅｌｌのＭｃがＰＣｅｌｌのＭｃと同じに設定されていれば、ＰＵＳＣＨ上でのＨＡＲＱ−ＡＣＫレポーティングにリリース１０の手順が再利用される。別の選択肢では、ＳＣｅｌｌが表（２）に示されるような参照構成に従う場合には、自己スケジューリングのケースと同じになり、それに応じて本明細書に開示されるシステムおよび方法が適用される。
【０２８６】
本明細書に開示されるシステムおよび方法に従って、ＰＣｅｌｌのＭ（例えば、Ｍｃ）は、リリース１０仕様で与えられるＭと同じであってもよい。そのうえ、本明細書に開示されるシステムおよび方法は、ＳＣｅｌｌのＭを確定するための２つのアプローチを提供する。アプローチＡでは、ＳＣｅｌｌのＭ（例えば、Ｍｃ）は、参照構成に基づく参照パラメーター（例えば、ＭＲｅｆ）である。より具体的には、ＭＲｅｆは、ＰＤＳＣＨ  ＨＡＲＱ−ＡＣＫに従う対象となる参照構成のＭである。アプローチＢでは、ＳＣｅｌｌのＭ（例えば、Ｍｃ）は、参照構成におけるサブフレームの実効的な数に基づく実効的なパラメーター（例えば、ＭＥｆｆ）である。
【０２８７】
ＬＴＥリリース１０では、Ｍは、サブフレームｎおよび集合Ｋと関連付けられた、（３ＧＰＰ  ＴＳ３６．２１３の表１０．１．３．１−１からの）下の表（３）で定義される集合Ｋにおける要素の数である。言い換えれば、ＴＤＤに係わる下りリンク・アソシエーション・セットのインデックスが表（３）でＫ：｛ｋ０，ｋ１，・・・，ｋＭ−１｝として定義され、ここでＭは、集合Ｋにおける要素の数である。下りリンク・アソシエーション・セットは、下の表（３）に示されるように、ＵＬ−ＤＬ構成に依存する。異なる構成を用いたＴＤＤ  ＣＡでは、（例えば、表（２）に示されるような）ＰＤＳＣＨ  ＨＡＲＱ−ＡＣＫタイミングが１つ以上のＴＤＤ  ＵＬ−ＤＬ構成に基づくことにも留意すべきである。
【０２８８】
ＰＤＳＣＨ  ＨＡＲＱ−ＡＣＫアソシエーションとは、ＰＤＳＣＨ送信と上りリンクサブフレームでのそのＨＡＲＱ−ＡＣＫフィードバックとの間のリンケージを意味する。上りリンクサブフレームｎに対して、ＴＤＤに係わる下りリンク・アソシエーション・セットのインデックスが表１０．１．３．１−１で定義され、下の表（３）にこれが示される。従って、ｋがアソシエーション・セットのインデックスＫ：｛ｋ０，ｋ１，・・・，ｋＭ−１｝に属するサブフレーム（ｎ−ｋ）でのＰＤＳＣＨ送信、ＰＤＳＣＨの対応するＨＡＲＱ−ＡＣＫは、関連付けられた上りリンクサブフレームｎでレポートされる。表（３）におけるエントリは、下りリンク・アソシエーション（例えば、ＰＤＳＣＨ  ＨＡＲＱ−ＡＣＫアソシエーション）を定義する。集合Ｋは、所与の上りリンクに関するＰＤＳＣＨ  ＨＡＲＱ−ＡＣＫアソシエーション・セットを定義する。
【０２８９】
【表３】
0006452447.tif 000111
【０２９０】
アプローチＡでは、ＳＣｅｌｌのＭｃは、ＭＲｅｆ（例えば、ＰＤＳＣＨ  ＨＡＲＱ−ＡＣＫタイミングに従う対象となる参照構成のＭ）として定義される。言い換えれば、ＭＲｅｆは、参照構成に関して、ＰＤＳＣＨ  ＨＡＲＱ−ＡＣＫアソシエーションをもつサブフレームの数を示す。アプローチＡにおけるケースＡ（例えば、ＳＣｅｌｌ構成によって示されるＤＬサブフレームのセットが、ＰＣｅｌｌ構成によって示されるＤＬサブフレームの部分集合である場合）に関しては、ＳＣｅｌｌは、ＰＣｅｌｌ構成に従う。従って、ＭＲｅｆ＝ＭＰＣｅｌｌであり、ここでＭＰＣｅｌｌは、ＰＣｅｌｌのＭ（例えば、ＰＣｅｌｌ構成に従ってサブフレームｎおよび集合Ｋと関連付けられた、表（３）で定義される集合Ｋにおける要素の数）である。言い換えれば、ＭＰＣｅｌｌは、ＰＣｅｌｌ構成に関して、ＰＤＳＣＨ  ＨＡＲＱ−ＡＣＫアソシエーションをもつサブフレームの数を示す。
【０２９１】
アプローチＡにおけるケースＢ（例えば、ＰＣｅｌｌ構成によって示されるＤＬサブフレームのセットが、ＳＣｅｌｌ構成によって示されるＤＬサブフレームの部分集合である場合）に関しては、ＳＣｅｌｌは、ＳＣｅｌｌ構成に従う。従って、ＭＲｅｆ＝ＭＳＣｅｌｌであり、ここでＭＳＣｅｌｌは、ＳＣｅｌｌのＭ（例えば、ＳＣｅｌｌ構成に従ってサブフレームｎおよび集合Ｋと関連付けられた、表（３）で定義される集合Ｋにおける要素の数）である。言い換えれば、ＭＳＣｅｌｌは、ＳＣｅｌｌ構成に関して、ＰＤＳＣＨ  ＨＡＲＱ−ＡＣＫアソシエーションをもつサブフレームの数を示す。
【０２９２】
アプローチＡにおけるケースＣ（例えば、ＰＣｅｌｌ構成によって示されるＤＬサブフレームのセットが、ＳＣｅｌｌ構成によって示されるＤＬサブフレームの部分集合である場合）に関しては、ＳＣｅｌｌは、表（２）に示されるように参照構成に従う。従って、ＭＲｅｆ＝ＭＲｅｆＣｏｎｆであり、ここでＭＲｅｆＣｏｎｆ（例えば、既知のパラメータ）は、参照構成のＭ（例えば、表（２）における参照ＵＬ−ＤＬ構成に従ってサブフレームｎおよび集合Ｋと関連付けられた、表（３）で定義される集合Ｋにおける要素の数）である。言い換えれば、ＭＲｅｆＣｏｎｆは、参照構成に関して、ＰＤＳＣＨ  ＨＡＲＱ−ＡＣＫアソシエーションをもつサブフレームの数を示す。
【０２９３】
ケースＡでは、ＰＣｅｌｌがＤＬサブフレーム（または、例えばスペシャルサブフレーム）を用いるように設定され、ＳＣｅｌｌがＵＬサブフレームを用いるように設定された、衝突サブフレームがある。従って、対応するＨＡＲＱ−ＡＣＫビットは、ＳＣｅｌｌ上では決して生成されないか、または不連続送信（ＤＴＸ：ｄｉｓｃｏｎｔｉｎｕｏｕｓ  ｔｒａｎｓｍｉｓｓｉｏｎ）としてレポートされることになる。ケースＡに関しては、ＰＣｅｌｌ構成に従ってサブフレームｎおよび集合Ｋと関連付けられた、表（３）で定義される集合Ｋにおいて、ＰＣｅｌｌ構成がＤＬサブフレーム（または、例えばスペシャルサブフレーム）を含み、ＳＣｅｌｌ構成がＵＬサブフレームを含む、衝突サブフレームの数としてｍが定義される。
【０２９４】
同様に、ケースＣでは、参照構成がＤＬサブフレーム（または、例えばスペシャルサブフレーム）を含み、ＳＣｅｌｌ構成がＵＬサブフレームを含む、衝突サブフレームがある。従って、対応するＨＡＲＱ−ＡＣＫビットは、ＳＣｅｌｌ上では決して生成されないか、またはＤＴＸとしてレポートされる。ケースＣに関しては、表（２）における参照構成に従ってサブフレームｎおよび集合Ｋと関連づけられた、表（３）で定義される集合Ｋにおいて（ＰＣｅｌｌ構成がＤＬサブフレーム（または、例えばスペシャルサブフレーム）を含み、ＳＣｅｌｌ構成がＵＬサブフレームを含む）、衝突サブフレームの数としてｍが定義される。
【０２９５】
アプローチＢでは、ＳＣｅｌｌのＭｃは、ＭＥｆｆとして定義され、ここでＭＥｆｆは、ＰＣｅｌｌ構成または参照構成がＤＬサブフレーム（または、例えばスペシャルサブフレーム）を含み、ＳＣｅｌｌ構成がＵＬサブフレームを含む衝突サブフレームを除いて、ＰＤＳＣＨ  ＨＡＲＱ−ＡＣＫタイミングに従う対象となる参照構成の実効的なＭである（例えば、ＭＥｆｆ＝ＭＲｅｆ−ｍ）。言い換えれば、ＭＲｅｆは、参照構成に関する、ＰＤＳＣＨ  ＨＡＲＱ−ＡＣＫアソシエーションをもつサブフレームの数であり、ｍは、参照構成では下りリンクサブフレームおよびスペシャルサブフレームであり、ＳＣｅｌｌ構成では上りリンクサブフレームである衝突サブフレームの数である。
【０２９６】
提案Ｉでは、
【０２９７】
【数１０８】
0006452447.tif 000112
【０２９８】
が表す有効範囲は、すべてのセルのうちの最大Ｍｃに基づく。異なるＴＤＤ構成を用いたＴＤＤ  ＣＡでは、
【０２９９】
【数１０９】
0006452447.tif 000113
【０３００】
は、すべての設定されたセルのうち、ＰＤＳＣＨ送信（単数または複数）を割り当てたＰＤＣＣＨ（単数または複数）と下りリンクＳＰＳリリースを示すＰＤＣＣＨとの合計数の最大数である。それゆえに、
【０３０１】
【数１１０】
0006452447.tif 000114
【０３０２】
が表す有効範囲は、すべてのセルのうちの最大Ｍｃに基づく。Ｗｍａｘをすべてのセルのうちの最大Ｍｃとして示すと、Ｗｍａｘ＝すべてのセルのうちのｍａｘ（Ｍｃ）である。ＵＬグラントが小さい方のＭｃをもつセルから発行される場合、
【０３０３】
【数１１１】
0006452447.tif 000115
【０３０４】
値は、そのセルのＭｃより大きい。
【０３０５】
第１のケースでは、構成５がいずれのセルにも設定されないか、または、いずれのセルの参照構成としても用いられず、ＴＤＤ  ＣＡであるセルの構成が構成｛１，２，３，４，６｝に限定される場合、ＵＬグラントによって調整された、ＵＬサブフレームｎにおけるＰＵＳＣＨ上でのＨＡＲＱ−ＡＣＫ送信に関して、タイミング参照構成が構成｛１，２，３，４，６｝のうちの１つであれば、フィードバックファクターは、
【０３０６】
【数１１２】
0006452447.tif 000116
【０３０７】
である。ＵＬ−ＤＬ構成０をもつセルでは、Ｍｃが常に１であり、従って
【０３０８】
【数１１３】
0006452447.tif 000117
【０３０９】
である。特に、ＳＣｅｌｌの参照構成のアソシエーション・セットでは、ＳＣｅｌｌ内にＵＬとして設定された１つ以上のサブフレームがある。調整される場合には、これらのサブフレームを除去する方がよい。従って、Ｍｃは、実効的なＭ（例えば、ＭＥｆｆ）とするとよい。
【０３１０】
第２のケースでは、構成５がある１つのセルに設定されるか、または、構成５があるセルの参照構成として用いられる場合に、サブフレーム２（例えば、構成５ではＵＬサブフレームがサブフレーム２である）におけるＰＵＳＣＨ上でのＨＡＲＱ−ＡＣＫレポーティングに関して、すべてのセルの
【０３１１】
【数１１４】
0006452447.tif 000118
【０３１２】
およびＨＡＲＱ−ＡＣＫビットは、構成５におけるのと同じルールに従う。それゆえに、ＴＤＤ  ＣＡにおいて、構成５がある１つのセルに設定されるか、または構成５がいずれかのセルの参照構成として用いられる場合に、ＤＣＩフォーマット０／４をもつ検出されたＰＤＣＣＨに基づいて調整されたＰＵＳＣＨ送信におけるセルに関して、ＵＥは、フィードバックファクター
【０３１３】
【数１１５】
0006452447.tif 000119
【０３１４】
を想定し、ここで別のフィードバックファクター
Ｕ
は、すべての設定された在圏セルのうちの
Ｕｃ
の最大値を示し、
Ｕｃ
は、ｃ番目の在圏セル上でサブフレーム（単数または複数）ｎ−ｋにおいて受信したＰＤＳＣＨと下りリンクＳＰＳリリースを示すＰＤＣＣＨとの合計数であり、表（２）における参照構成のアソシエーション・セットに従って、
ｋ∈Ｋ
である。ＵＬ−ＤＬ構成０をもつセルでは、Ｍｃが常に１であり、従って
【０３１５】
【数１１６】
0006452447.tif 000120
【０３１６】
である。たとえＵＬ−ＤＬ構成｛１，２，３，４，６｝をもつセルであっても、構成５が用いられるか、または、いずれかの他のセルの参照構成である場合に、
【０３１７】
【数１１７】
0006452447.tif 000121
【０３１８】
は、第１のケースの代わりに、第２のケースに従って確定される。特に、ＳＣｅｌｌの参照構成のアソシエーション・セットでは、ＳＣｅｌｌ内にＵＬとして設定された１つ以上のサブフレームがある。調整される場合には、これらのサブフレームを除去する方がよい。従って、Ｍｃは、実効的なＭ（例えば、ＭＥｆｆ）とするとよい。
【０３１９】
提案ＩＩは、次に示されるように、ＵＬグラントにおける
【０３２０】
【数１１８】
0006452447.tif 000122
【０３２１】
の確定を可能にする。異なるＴＤＤ構成を用いたＴＤＤ  ＣＡでは、異なるセルは、異なるＵＬグラント・タイミングを有する。これは、２つのケース、すなわち、ケース１およびケース２に分類される。
【０３２２】
ケース１では、ＰＵＳＣＨ送信より前に（例えば、ＵＬグラントがＰＵＳＣＨ送信より４ミリ秒（ｍｓ）前にシグナリングされる）、サブフレームｎ−４でのＵＬグラントによって調整された、ＵＬサブフレームｎにおけるＰＵＳＣＨ上でのＨＡＲＱ−ＡＣＫ送信に関する。従って、ｅＮＢは、セルごとに配置されたＰＤＳＣＨの最大数を認識しており、すべてのセルに用いられる同じ
【０３２３】
【数１１９】
0006452447.tif 000123
【０３２４】
をシグナリングできる。
【０３２５】
構成５が用いられないか、または、いずれのセルの参照構成としても用いられない場合に、ＵＬグラントに基づいて調整されたＰＵＳＣＨ送信を伴うセルでは、
【０３２６】
【数１２０】
0006452447.tif 000124
【０３２７】
は、表（２）における参照構成に基づき、それらのＰＤＳＣＨアソシエーション・セットに従って、すべての設定されたセルのうち、ＰＤＳＣＨ送信（単数または複数）を割り当てたＰＤＣＣＨ（単数または複数）と下りリンクＳＰＳリリースを示すＰＤＣＣＨとの合計数の最大数である。構成５が用いられるか、または、いずれかのセルの参照構成として用いられる場合に、ＵＬグラントに基づいて調整されたＰＵＳＣＨ送信を伴うセルでは、表（２）における参照構成に基づき、それらのＰＤＳＣＨアソシエーション・セットに従って、すべての設定されたセルのうち、ＰＤＳＣＨ送信（単数または複数）を割り当てたＰＤＣＣＨ（単数または複数）と下りリンクＳＰＳリリースを示すＰＤＣＣＨとの合計数の最大数をＷ’とする。Ｗ’が４以下であれば、
【０３２８】
【数１２１】
0006452447.tif 000125
【０３２９】
である。Ｗ’が４より大きく、８以下であれば、
【０３３０】
【数１２２】
0006452447.tif 000126
【０３３１】
である。Ｗ’＝９であれば、
【０３３２】
【数１２３】
0006452447.tif 000127
【０３３３】
である。言い換えれば、
【０３３４】
【数１２４】
0006452447.tif 000128
【０３３５】
である。
【０３３６】
ケース２では、ＵＬ−ＤＬ構成｛０，１，６｝に関して、サブフレームｎ−ｋ、ｋ＞４でのＵＬグラントによって調整された、ＵＬサブフレームｎにおけるＰＵＳＣＨ上でのＨＡＲＱ−ＡＣＫ送信にはいくつか未解決の課題がある。例えば、これらの場合に、
【０３３７】
【数１２５】
0006452447.tif 000129
【０３３８】
をどのように確定するかは、依然として未解決の課題である。いくつか課題が下の図６および図７と関連して記載される。
【０３３９】
表（２）に従って、ＵＬグラントを発行する所与のＤＬサブフレームまでのＤＬ送信の、すべてのセルのアソシエーション・セットのうちの最大数としてＷを定義する。ＵＬグラント後のＤＬサブフレームの、すべてのセルのアソシエーション・セットのうちの最大数としてｗを定義する。手順１では、セルｃの
【０３４０】
【数１２６】
0006452447.tif 000130
【０３４１】
は、Ｗ’＝ｍｉｎ（Ｗ+ｗ，Ｗｍａｘ）によって確定され、ここでＷｍａｘは、前に示されたように、
【０３４２】
【数１２７】
0006452447.tif 000131
【０３４３】
の最大有効値である。従って、４ｍｓより長いアソシエーション・タイミングをもつセルでのＵＬグラントは、所与のＵＬグラント後の他のセルにおけるすべての可能なＰＤＳＣＨ送信をカウントに入れる。それゆえに、複数のＵＬグラントがシグナリングされる場合に、後の方のＵＬグラントの
【０３４４】
【数１２８】
0006452447.tif 000132
【０３４５】
は、別のセルからの前の方のＵＬグラントの
【０３４６】
【数１２９】
0006452447.tif 000133
【０３４７】
と同じか、またはより小さい。
【０３４８】
【数１３０】
0006452447.tif 000134
【０３４９】
は、ｅＮＢによって確定され、各ＵＬグラントでＵＥへシグナリングされる。
【０３５０】
手順２では、セルｃの
【０３５１】
【数１３１】
0006452447.tif 000135
【０３５２】
は、Ｗ’＝Ｗによって確定される。従って、４ｍｓより長いアソシエーション・タイミングをもつセルでのＵＬグラントは、所与のＵＬグラント後の他のセルにおける可能なＰＤＳＣＨ送信をカウントしない。しかしながら、別のセルのＵＬグラント後にＰＤＣＣＨまたはＳＰＳによって検出されるＰＤＳＣＨ送信を伴うセルでは、ＵＥが、ＨＡＲＱ−ＡＣＫレポーティングの間にそのセルに用いる
【０３５３】
【数１３２】
0006452447.tif 000136
【０３５４】
を取り扱うときに、２つのアプローチがある。第１のアプローチでは、ＵＥは、もしあれば、検出されたＰＤＳＣＨ送信の数とＳＰＳとを加える。第２のアプローチでは、ＵＥは、ＰＵＳＣＨ上でのＨＡＲＱ−ＡＣＫレポーティングに関するＵＬグラント後には、ＰＤＳＣＨ送信に対してＨＡＲＱ−ＡＣＫをフィードバックしない。ＵＥは、セルｃの
【０３５５】
【数１３３】
0006452447.tif 000137
【０３５６】
に従って、
【０３５７】
【数１３４】
0006452447.tif 000138
【０３５８】
を算出する。例えば、図６において、サブフレーム６ではＳＣｅｌｌ上でＵＬグラントが発行され、サブフレーム８ではＰＣｅｌｌ上でＵＬグラントが何も発行されないと考える。ＵＥのためにサブフレーム８においてＰＣｅｌｌ上でＰＤＳＣＨがスケジュールされる場合に、ＵＥは、サブフレーム２においてＳＣｅｌｌのＰＵＳＣＨにはサブフレーム８のＨＡＲＱ−ＡＣＫを含めない。
【０３５９】
アプローチ１および２のいずれも、構成５が用いられないか、または、いずれのセルの参照構成としても用いられない場合に、ＵＬグラントに基づいて調整されたＰＵＳＣＨ送信を伴うセルでは、
【０３６０】
【数１３５】
0006452447.tif 000139
【０３６１】
である。構成５が用いられるか、または、いずれかのセルの参照構成として用いられる場合に、ＵＬグラントに基づいて調整されたＰＵＳＣＨ送信を伴うセルでは、Ｗ’が４以下であれば、
【０３６２】
【数１３６】
0006452447.tif 000140
【０３６３】
である。Ｗ’が４より大きく、８以下であれば、
【０３６４】
【数１３７】
0006452447.tif 000141
【０３６５】
である。Ｗ’＝９であれば、
【０３６６】
【数１３８】
0006452447.tif 000142
【０３６７】
である。言い換えれば、
【０３６８】
【数１３９】
0006452447.tif 000143
【０３６９】
である。
【０３７０】
提案ＩＩＩは、次のように示され、構成０をもつセルからのＵＬグラントを可能にする。ＵＬグラントが構成０をもつセルによって発行されるので、構成０に関して、ＤＣＩフォーマット０／４には
【０３７１】
【数１４０】
0006452447.tif 000144
【０３７２】
フィールドが何もない。それゆえに、構成０をもつセル上で調整されたＰＵＳＣＨレポーティングにおいて、他のセルに用いる
【０３７３】
【数１４１】
0006452447.tif 000145
【０３７４】
およびＨＡＲＱ−ＡＣＫビットを確定するための手順を指定する必要がある。
【０３７５】
１つの手順では、そのセルのＭｃが用いられ、従って、そのセルおよび他のセルに関するＨＡＲＱ−ＡＣＫビットには、構成０をもつセル上で未調整のＰＵＳＣＨレポーティングが用いられる。別の手順では、ＵＥは、構成０に関して、ＵＬグラントの
【０３７６】
【数１４２】
0006452447.tif 000146
【０３７７】
値を４に設定して、提案Ｉの手順を適用し、別のフィードバックファクター
【０３７８】
【数１４３】
0006452447.tif 000147
【０３７９】
値として４を用いることによって、フィードバックファクター
【０３８０】
【数１４４】
0006452447.tif 000148
【０３８１】
を算出する。さらに別の手順では、構成０のＤＣＩが、他のＴＤＤ  ＵＬ−ＤＬ構成と同様に、
【０３８２】
【数１４５】
0006452447.tif 000149
【０３８３】
に対する２ビットを含むように修正される。ＵＥが、構成０に関して、
【０３８４】
【数１４６】
0006452447.tif 000150
【０３８５】
フィールドもつ、または、
【０３８６】
【数１４７】
0006452447.tif 000151
【０３８７】
フィールドをもたないＤＣＩフォーマットをモニタする必要があるかどうかに係わらず、ＵＥは、明示的または暗示的にＲＲＣシグナリングに基づいて設定される。
【０３８８】
さらに別の手順には、２つのケースがある。第１のケースでは、表（２）における参照構成によるＨＡＲＱ−ＡＣＫアソシエーションをもつＵＬサブフレームに対して、構成０をもつセル上でＵＬグラントがトリガされ、ＴＤＤ構成０以外で設定された他のセルからは他のＵＬグラントは何もトリガされない。従って、ＨＡＲＱ−ＡＣＫは、構成０をもつセルのＰＵＳＣＨ送信上でレポートされる。この手順では、セルｃに関して、ＨＡＲＱ−ＡＣＫビットの数を確定するために、
ＵＤＡＩ，ｃ
が用いられる。すべてのＴＤＤ  ＵＬ−ＤＬ構成に関して、
ＵＤＡＩ，ｃ
を、在圏セルｃにおいてサブフレーム（単数または複数）ｎ−ｋ内でＵＥによって検出された、ＰＤＳＣＨ送信（単数または複数）を割り当てたＰＤＣＣＨ（単数または複数）と下りリンクＳＰＳリリースを示すＰＤＣＣＨとの合計数として示し、ここで表（２）に示される在圏セルｃのＰＤＳＣＨ  ＨＡＲＱ−ＡＣＫレポーティング参照構成に従って
ｋ∈Ｋ
である。ｅＮＢは、いくつのＰＤＳＣＨがＵＥへ送信されるかを認識しているので、予測されるＨＡＲＱ−ＡＣＫビット数以下を仮定して復号を行う。
【０３８９】
第２の手順に関する例として、構成０をもつセル、または、参照構成として構成０をもつセルによってＵＬサブフレームｎに対してＵＬグラントがトリガされ、Ｍｃ＝４をもつ別のセルでは、ＵＥに対するＰＤＳＣＨ送信にＷｃ＝３のサブフレームが用いられる場合に、ｅＮＢが、そのセルに関して、Ｗｃ＝３のサブフレームのＨＡＲＱ−ＡＣＫフィードバックを予測したと仮定する。しかしながら、ＵＥは、最後のＰＤＣＣＨをミスし、結果として、
ＵＤＡＩ，ｃ
は、常にＷｃ以下、たとえば、
Ｍｃ≧Ｗｃ≧ＵＤＡＩ，ｃ
である。ｅＮＢは、Ｗｃ以下のサブフレーム数に基づいて復号を行う。
【０３９０】
第２のケースでは、表（２）における参照構成によるＨＡＲＱ−ＡＣＫアソシエーションをもつＵＬサブフレームに対して、ＵＬ−ＤＬ構成０をもつセル上でＵＬグラントがトリガされ、ＴＤＤ構成０以外のＵＬ−ＤＬ構成を用いるように設定された他のセルからは１つ以上のＵＬグラントがトリガされる。構成０を有するセルは、最小セル・インデックスを有する。従って、ＨＡＲＱ−ＡＣＫは、構成０をもつセルのＰＵＳＣＨ送信上でレポートされる。このケースでは、１つ以上の
【０３９１】
【数１４８】
0006452447.tif 000152
【０３９２】
が、他のセルのＵＬグラントによってシグナリングされる。
【０３９３】
従って、構成５が用いられないか、または、いずれのセルの参照構成としても用いられない場合、ＵＬグラントに基づいて調整されたＰＵＳＣＨ送信を伴うセルでは、フィードバックファクターは、セルｃのタイミング参照構成が｛１，２，３，４，５，６｝である場合に、
【０３９４】
【数１４９】
0006452447.tif 000153
【０３９５】
である。構成５が用いられるか、または、いずれかのセルの参照構成として用いられる場合に、ＵＬグラントに基づいて調整されたＰＵＳＣＨ送信を伴うセルでは、フィードバックファクターは、構成５が用いられているか、または、いずれかのセルの参照構成として用いられ、セルｃのタイミング参照構成が｛１，２，３，４，６｝である場合に、
【０３９６】
【数１５０】
0006452447.tif 000154
【０３９７】
である。ＵＬ−ＤＬ構成０をもつセルでは、Ｍｃが常に１である。従って、
【０３９８】
【数１５１】
0006452447.tif 000155
【０３９９】
である。
【０４００】
提案ＩＶは、異なるタイミングをもつ複数のセルからの複数のＵＬグラントの取り扱いを可能にする。複数のセルから複数のＵＬグラントが同じＵＬタイミングで発行される場合、すべてのＵＬグラントで同じ
【０４０１】
【数１５３】
0006452447.tif 000156
【０４０２】
がシグナリングされる。そのうえ、ＵＥは、すべてのセルに所与の
【０４０３】
【数１５３】
0006452447.tif 000157
【０４０４】
を用いる。しかしながら、異なるセルのＵＬグラント・タイミングが異なる場合、ＵＬグラントは、以下に説明されるように、同じか、または異なる
【０４０５】
【数１５４】
0006452447.tif 000158
【０４０６】
値をシグナリングする。
【０４０７】
別の課題として、サブフレーム６においてＳＣｅｌｌ上でＵＬグラントが発行され、サブフレーム８においてＰＣｅｌｌ上で別のＵＬグラントが発行されることを考える。２つの
【０４０８】
【数１５５】
0006452447.tif 000159
【０４０９】
が、２つの異なるＵＬグラントでシグナリングされる。これらは、
【０４１０】
【数１５６】
0006452447.tif 000160
【０４１１】
がどのように定義されるかに依存して、同じことも異なることもある。ＵＬグラントがＰＣｅｌｌ上のサブフレーム６およびＳＣｅｌｌ上のサブフレーム８の両方でシグナリングされる場合には、図７に示されるように、同じ課題が存在する。しかしながら、ＵＬグラントを用いて確定されたＰＵＳＣＨ送信が調整されたときには、すべてのセルに１つだけの
【０４１２】
【数１５７】
0006452447.tif 000161
【０４１３】
値が用いられる。本明細書に開示されるシステムおよび方法は、これを取り扱うためのいくつかのアプローチを提供する。
【０４１４】
アプローチ１では、ＰＵＳＣＨ送信にＨＡＲＱ−ＡＣＫレポーティングを伴うセルのＵＬグラントの
【０４１５】
【数１５８】
0006452447.tif 000162
【０４１６】
が用いられる。これは、ＵＬグラントをシグナリングする最小セル・インデックス番号をもつＰＵＳＣＨ送信上での値にＵＥが従う簡易な解決法を提供する。アプローチ２では、所与のサブフレームに関して、最新のＵＬグラントをもつセルの
【０４１７】
【数１５９】
0006452447.tif 000163
【０４１８】
が用いられる。最新の
【０４１９】
【数１６０】
0006452447.tif 000164
【０４２０】
は、所与のＵＬサブフレームと関連付けられたすべての前のＵＬグラントの情報を含む。従って、これは、すべてのセルにおけるＰＤＳＣＨ送信の最も正確な推定を提供する。アプローチ３では、すべてのセルのうちの最大
【０４２１】
【数１６１】
0006452447.tif 000165
【０４２２】
が用いられる。これは、より保守的な手順である。この手順では、簡易さと引き替えに、ＰＵＳＣＨ上でのＨＡＲＱ−ＡＣＫ多重化に対するオーバーヘッドが潜在的により高くなる。別のアプローチでは、ＵＬグラントをもたないセルが、上記のアプローチのうちの１つに基づいて、
【０４２３】
【数１６２】
0006452447.tif 000166
【０４２４】
を確定し、ＵＬグラントを発行する各セルは、それ自体の
【０４２５】
【数１６３】
0006452447.tif 000167
【０４２６】
値に従う。
【０４２７】
提案Ｖでは、ＰＤＳＣＨ  ＨＡＲＱ−ＡＣＫアソシエーションをもたないＵＬでのＰＵＳＣＨ送信に関して、ＵＬグラントにおける
【０４２８】
【数１６４】
0006452447.tif 000168
【０４２９】
が無効にされる。そのうえ、次の無線フレームのサブフレーム３におけるＳＣｅｌｌ上でのＰＵＳＣＨ送信のためにサブフレーム９ではＳＣｅｌｌ上でＵＬグラントがトリガされるが、サブフレーム３ではＨＡＲＱ−ＡＣＫは何もレポートされない。従って、ＵＬグラントにおける
【０４３０】
【数１６５】
0006452447.tif 000169
【０４３１】
には意味がない。このように、表（２）における参照構成によるＨＡＲＱ−ＡＣＫアソシエーションをもたないＵＬサブフレームでのＰＵＳＣＨ送信のためにスケジューリングされたＵＬグラントでは、
【０４３２】
【数１６６】
0006452447.tif 000170
【０４３３】
は、ＵＥによって無効にされるか、または無視される。
【０４３４】
次に、本明細書に開示されるシステムおよび方法の様々な例が図面を参照して記載される。図面中、同様の参照番号は、機能的に類似した要素を示す。本明細書において図面に一般的に記載され、示されるシステムおよび方法は、多種多様に異なった実装で配置され、設計されてもよい。従って、図面に表現されるいくつかの実装の以下のさらに詳細な記載は、特許請求の範囲を限定するものではなく、システムおよび方法を単に代表するに過ぎない。
【０４３５】
図１は、フィードバック情報を送受信するためのシステムおよび方法が実装された１つ以上のｅＮＢ１６０および１つ以上のＵＥ１０２の一構成を示すブロック図である。１つ以上のＵＥ１０２は、１つ以上のアンテナ１２２ａ〜ｎを用いて１つ以上のｅＮＢ１６０と通信する。例えば、ＵＥ１０２は、１つ以上のアンテナ１２２ａ〜ｎを用いてｅＮＢ１６０へ電磁信号を送信し、ｅＮＢ１６０から電磁信号を受信する。ｅＮＢ１６０は、１つ以上のアンテナ１８０ａ〜ｎを用いてＵＥ１０２と通信する。
【０４３６】
ＵＥ１０２およびｅＮＢ１６０は、相互に通信するために１つ以上のチャネル１１９、１２１を用いる。例えば、ＵＥ１０２は、１つ以上の上りリンクチャネル１２１を用いてｅＮＢ１６０へ情報またはデータを送信する。上りリンクチャネル１２１の例は、ＰＵＣＣＨおよびＰＵＳＣＨなどを含む。１つ以上のｅＮＢ１６０も、例として、１つ以上の下りリンクチャネル１１９を用いて１つ以上のＵＥ１０２へ情報またはデータを送信する。下りリンクチャネル１１９の例は、ＰＤＣＣＨ、ＰＤＳＣＨなどを含む。他の種類のチャネルが用いられてもよい。
【０４３７】
１つ以上のＵＥ１０２のそれぞれは、１つ以上のトランシーバ１１８、１つ以上の復調器１１４、１つ以上のデコーダ１０８、１つ以上のエンコーダ１５０、１つ以上の変調器１５４、データバッファ１０４およびＵＥオペレーション・モジュール１２４を含む。例えば、ＵＥ１０２では１つ以上の受信および／または送信経路が実装される。便宜上、ＵＥ１０２では単一のトランシーバ１１８、デコーダ１０８、復調器１１４、エンコーダ１５０および変調器１５４のみが示されるが、複数の並列要素（例えば、トランシーバ１１８、デコーダ１０８、復調器１１４、エンコーダ１５０および変調器１５４）が実装されてもよい。
【０４３８】
トランシーバ１１８は、１つ以上の受信機１２０および１つ以上の送信機１５８を含む。１つ以上の受信機１２０は、１つ以上のアンテナ１２２ａ〜ｎを用いてｅＮＢ１６０から信号を受信する。例えば、受信機１２０は、１つ以上の受信信号１１６を作り出すために信号を受信してダウンコンバートする。１つ以上の受信信号１１６は、復調器１１４へ供給される。１つ以上の送信機１５８は、１つ以上のアンテナ１２２ａ〜ｎを用いてｅＮＢ１６０へ信号を送信する。例えば、１つ以上の送信機１５８は、１つ以上の変調信号１５６をアップコンバートして送信する。
【０４３９】
復調器１１４は、１つ以上の復調信号１１２を作り出すために１つ以上の受信信号１１６を復調する。１つ以上の復調信号１１２は、デコーダ１０８へ供給される。ＵＥ１０２は、信号を復号するためにデコーダ１０８を用いる。デコーダ１０８は、１つ以上の復号信号１０６、１１０を作り出す。例えば、第１のＵＥ復号信号１０６は、データバッファ１０４に記憶される、受信したペイロード・データを備える。第２のＵＥ復号信号１１０は、オーバーヘッド・データおよび／または制御データを備える。例えば、第２のＵＥ復号信号１１０は、１つ以上のオペレーションを行うためにＵＥオペレーション・モジュール１２４によって用いられるデータを供給する。
【０４４０】
本明細書では、用語「モジュール」は、特定の要素またはコンポーネントがハードウェア、ソフトウェア、またはハードウェアとソフトウェアとの組み合わせで実装されることを意味する。しかしながら、留意すべきは、本明細書に「モジュール」として示される任意の要素が代わりにハードウェアで実装されてもよいことである。例えば、ＵＥオペレーション・モジュール１２４は、ハードウェア、ソフトウェアまたは両方の組み合わせで実装されてもよい。
【０４４１】
一般に、ＵＥオペレーション・モジュール１２４は、ＵＥ１０２が１つ以上のｅＮＢ１６０と通信することを可能にする。ＵＥオペレーション・モジュール１２４は、ＵＬ−ＤＬ構成１２８、ＵＥ  ＵＬ−ＤＬ構成確定モジュール１３０、ＨＡＲＱ−ＡＣＫ生成モジュール１３２、ＵＥフィードバックファクター確定モジュール１３４、ＵＥフィードバックパラメーター確定モジュール１２６、およびフォーマット適用モジュール１８４のうちの１つ以上を含む。
【０４４２】
ＵＬ−ＤＬ構成１２８は、ＵＥ１０２とｅＮＢ１６０との間の通信に用いられるＵＬ−ＤＬ構成のセットを指定する。ＵＬ−ＤＬ構成の例は、上の表（１）に示されるＵＬ−ＤＬ構成０〜６を含む。ＵＬ−ＤＬ構成１２８は、ｅＮＢ（単数または複数）１６０との通信のためのＵＬ、ＤＬおよびスペシャルサブフレームを指定する。例えば、ＵＬ−ＤＬ構成１２８は、ＵＥ１０２がｅＮＢ１６０から情報を受信するためのＤＬサブフレームを示し、ＵＥ１０２がｅＮＢ１６０へ情報を送信するためのＵＬサブフレームを示す。セル上での適切な通信のために、ＵＥ１０２およびｅＮＢ１６０は、同じセル上では同じＵＬ−ＤＬ構成１２８を適用する。しかしながら、異なるセル（例えば、ＰＣｅｌｌおよびＳＣｅｌｌ（（単数または複数））上では異なるＵＬ−ＤＬ構成１２８が適用されてもよい。
【０４４３】
ＵＬ−ＤＬ構成１２８は、（例えば、上の表（３）に示されるような）ＰＤＳＣＨ  ＨＡＲＱ−ＡＣＫアソシエーションも示す。ＰＤＳＣＨ  ＨＡＲＱ−ＡＣＫアソシエーションは、ＰＤＳＣＨに対応するＨＡＲＱ−ＡＣＫ情報を送信するための特定の（ＰＤＳＣＨ  ＨＡＲＱ−ＡＣＫ）タイミングを指定する。例えば、ＨＡＲＱ−ＡＣＫ生成モジュール１３２は、ＰＤＳＣＨにおける信号（例えば、データ）が正しく受信されたか否かに基づいて、ＰＤＳＣＨに対応するＨＡＲＱ−ＡＣＫ情報を生成する。ＰＤＳＣＨ  ＨＡＲＱ−ＡＣＫアソシエーションは、ＵＥ１０２がＰＤＳＣＨに対応するＨＡＲＱ−ＡＣＫ情報をレポートする（例えば、送信する）レポーティング・サブフレームを指定する。レポーティング・サブフレームは、ＰＤＳＣＨを含むサブフレームに基づいて確定される。
【０４４４】
ＵＥ  ＵＬ−ＤＬ構成確定モジュール１３０は、ＵＥがＵＬ−ＤＬ構成（単数または複数）１２８のうちのどれを１つ以上のセルに適用するかを確定する。例えば、ＵＥ１０２は、ＰＣｅｌｌのため、および１つ以上のＳＣｅｌｌのためのＵＬ−ＤＬ構成（単数または複数）１２８を示す、１つ以上のＲＲＣ構成（例えば、ＳＩＢ−１ブロードキャスト情報または専用シグナリング）を受信する。例として、ＰＣｅｌｌおよびＳＣｅｌｌは、キャリアアグリゲーションにおいて利用される。ＵＥ  ＵＬ−ＤＬ構成確定モジュール１３０は、どのＵＬ−ＤＬ構成１２８がＰＣｅｌｌに割り当てられ、どのＵＬ−ＤＬ構成１２８がＳＣｅｌｌに割り当てられるかを確定する。ＰＣｅｌｌおよびＳＣｅｌｌ（単数または複数）のためのＵＬ−ＤＬ構成１２８は、同じであっても異なってもよい。
【０４４５】
ＵＥフィードバックファクター確定モジュール１３４は、フィードバックファクター
（例えば、
【０４４６】
【数１６７】
0006452447.tif 000171
【０４４７】
）
を確定する。例えば、ＵＥフィードバックファクター確定モジュール１３４は、フィードバックファクター
【０４４８】
【数１６８】
0006452447.tif 000172
【０４４９】
を確定し、ここで
【０４５０】
【数１６９】
0006452447.tif 000173
【０４５１】
は、ｃ番目のサービングセルに関して、ＨＡＲＱ−ＡＣＫビットをフィードバックするための下りリンクサブフレームの数である。加えて、または代わりに、ＵＥフィードバックファクター確定モジュール１３４は、フィードバックファクター
Ｕ
を確定し、ここで
Ｕ
は、すべての設定された在圏セルのうちの
Ｕｃ
の最大値を示し、
Ｕｃ
は、ｃ番目の在圏セル上で受信したＰＤＳＣＨと下りリンク・セミパーシステント・スケジューリング（ＳＰＳ）リリースを示すＰＤＣＣＨとの合計数である。
【０４５２】
フィードバックファクターは、例えば、１つ以上のセルに関して、ＤＣＩフォーマット０／４をもつ検出されたＰＤＣＣＨに基づいて調整されたＰＵＳＣＨ送信でレポートされることになる、サブフレームの数およびＨＡＲＱ−ＡＣＫビットを示す（例えば、確定するために利用される）。いくつかの実装では、ＵＥ１０２は、１つ以上のフィードバックファクター
（例えば、
【０４５３】
【数１７０】
0006452447.tif 000174
【０４５４】
）
を１つ以上の上りリンク（ＵＬ）グラントで受信する。ＵＥフィードバックファクター確定モジュール１３４は、上記の提案、アプローチ、ケース、手順などのうちの１つ以上に従って、１つ以上のフィードバックファクターを確定する。
【０４５５】
ＵＥレポーティング・サブフレーム確定モジュール（図１には示されない）は、ＨＡＲＱ−ＡＣＫ情報を送信するためのレポーティング・サブフレームを確定する。例えば、ＵＥレポーティング・サブフレーム確定モジュールは、ＵＥ１０２がＳＣｅｌｌ  ＨＡＲＱ−ＡＣＫ情報（例えば、ＳＣｅｌｌに対応するＰＤＳＣＨ  ＨＡＲＱ−ＡＣＫ情報）を送信するＨＡＲＱ−ＡＣＫレポーティング・サブフレームを確定する。例えば、ＵＥレポーティング・サブフレーム確定モジュールは、上の表（３）に記載されるタイミング参照に従って、ＰＣｅｌｌ上でＳＣｅｌｌ  ＨＡＲＱ−ＡＣＫ情報を送信するためのレポーティング・サブフレームを確定する。例として、上の表（３）（例えば、ＰＤＳＣＨ  ＨＡＲＱ−ＡＣＫアソシエーション表）は、サブフレーム（例えば、ＵＬサブフレーム）番号ｎに対して、インデックス集合Ｋ：｛ｋ０，ｋ１，・・・，ｋＭ−１｝によって対応するＰＤＳＣＨの位置を示し、サブフレームｎ−ｋ（例えば、ｎ−ｋ１）におけるＰＤＳＣＨのＨＡＲＱ−ＡＣＫがＵＬサブフレームｎでレポートされる。ＵＥ１０２は、確定されたＨＡＲＱ−ＡＣＫレポーティング・サブフレームでＳＣｅｌｌ  ＨＡＲＱ−ＡＣＫ情報を送信する。
【０４５６】
ＵＥフィードバックパラメーター確定モジュール１２６は、１つ以上のセル（例えば、ＰＣｅｌｌ、ＳＣｅｌｌ（単数または複数））に対応する１つ以上のフィードバックパラメーターを確定する。例えば、ＵＥフィードバックパラメーター確定モジュール１２６は、１つ以上のセルｃに関して、フィードバックパラメーターＭｃを確定する。この確定は、例えば、上記のように達成される。いくつかの実装では、確定は、ＰＣｅｌｌ構成、ＳＣｅｌｌ構成、参照構成、衝突サブフレームの数、およびフィードバックパラメーター確定方式のうちの１つ以上に基づく。
【０４５７】
フォーマット適用モジュール１８４は、ある場合に、特定のフォーマットをＨＡＲＱ−ＡＣＫ情報に適用する。例えば、フォーマット適用モジュール１８４は、１つ以上のフィードバックファクターによって示されたサブフレームの数およびＨＡＲＱ−ＡＣＫビットに従って、ＨＡＲＱ−ＡＣＫ情報をフォーマットする。特に、フォーマット適用モジュール１８４は、上記の提案、アプローチ、手順、方法および技術のうちの１つ以上を適用する。
【０４５８】
いくつかの実装では、ＵＥ１０２は、ｅＮＢ１６０からセレクション方式インジケーターを受信する。例えば、セレクション方式インジケーターは、上記の提案、アプローチ、手順、方法および技術のうちの１つ以上を指定する。フォーマット適用モジュール１８４は、上記の提案、アプローチ、手順、方法および技術のうちの指定された１つ以上に従って、特定のフォーマットを適用する。これは、複数のセレクション方式が適用される実装において、ＵＥ１０２およびｅＮＢ１６０が同じセレクション方式を利用することを可能にする。
【０４５９】
ＵＥオペレーション・モジュール１２４は、情報１４８を１つ以上の受信機１２０に提供する。例えば、ＵＥオペレーション・モジュール１２４は、ＵＬ−ＤＬ構成１２８に基づいて、送信をいつ受信すべきか、いつすべきでないかを受信機（単数または複数）１２０に通知する。
【０４６０】
ＵＥオペレーション・モジュール１２４は、情報１３８を復調器１１４へ供給する。例えば、ＵＥオペレーション・モジュール１２４は、ｅＮＢ１６０からの送信に予想される変調パターンを復調器１１４に通知する。
【０４６１】
ＵＥオペレーション・モジュール１２４は、情報１３６をデコーダ１０８に提供する。例えば、ＵＥオペレーション・モジュール１２４は、ｅＮＢ１６０からの送信に予想される符号化法をデコーダ１０８に通知する。
【０４６２】
ＵＥオペレーション・モジュール１２４は、情報１４２をエンコーダ１５０に提供する。情報１４２は、符号化すべきデータおよび／または符号化のための命令を含む。例えば、ＵＥオペレーション・モジュール１２４は、送信データ１４６および／または他の情報１４２を符号化するようにエンコーダ１５０に命令する。他の情報１４２は、ＰＤＳＣＨ  ＨＡＲＱ−ＡＣＫ情報を含む。
【０４６３】
エンコーダ１５０は、送信データ１４６および／またはＵＥオペレーション・モジュール１２４によって提供された他の情報１４２を符号化する。例えば、データ１４６および／または他の情報１４２の符号化は、誤り検出および／または訂正符号化、送信のための空間、時間および／または周波数リソースへのデータのマッピング、多重化などを伴う。エンコーダ１５０は、符号化データ１５２を変調器１５４へ供給する。
【０４６４】
ＵＥオペレーション・モジュール１２４は、情報１４４を変調器１５４に提供する。例えば、ＵＥオペレーション・モジュール１２４は、ｅＮＢ１６０への送信に用いるための変調型（例えば、コンステレーション・マッピング）を変調器１５４に通知する。変調器１５４は、１つ以上の変調信号１５６を１つ以上の送信機１５８へ供給するために符号化データ１５２を変調する。
【０４６５】
ＵＥオペレーション・モジュール１２４は、情報１４０を１つ以上の送信機１５８に提供する。この情報１４０は、１つ以上の送信機１５８に対する命令を含む。例えば、ＵＥオペレーション・モジュール１２４は、信号をｅＮＢ１６０へいつ送信すべきかを１つ以上の送信機１５８に命令する。いくつかの構成において、これは、ＵＬ−ＤＬ構成１２８に基づく。例として、１つ以上の送信機１５８は、ＵＬサブフレームの間に送信する。１つ以上の送信機１５８は、１つ以上のｅＮＢ１６０へ変調信号（単数または複数）１５６をアップコンバートして送信する。
【０４６６】
ｅＮＢ１６０は、１つ以上のトランシーバ１７６、１つ以上の復調器１７２、１つ以上のデコーダ１６６、１つ以上のエンコーダ１０９、１つ以上の変調器１１３、データバッファ１６２およびｅＮＢオペレーション・モジュール１８２を含む。例えば、ｅＮＢ１６０では１つ以上の受信および／または送信経路が実装される。便宜上、ｅＮＢ１６０では単一のトランシーバ１７６、デコーダ１６６、復調器１７２、エンコーダ１０９および変調器１１３のみが示されるが、複数の並列要素（例えば、トランシーバ１７６、デコーダ１６６、復調器１７２、エンコーダ１０９および変調器１１３）が実装されてもよい。
【０４６７】
トランシーバ１７６は、１つ以上の受信機１７８および１つ以上の送信機１１７を含む。１つ以上の受信機１７８は、１つ以上のアンテナ１８０ａ〜ｎを用いてＵＥ１０２から信号を受信する。例えば、受信機１７８は、１つ以上の受信信号１７４を作り出すために信号を受信してダウンコンバートする。１つ以上の受信信号１７４は、復調器１７２に供給される。１つ以上の送信機１１７は、１つ以上のアンテナ１８０ａ〜ｎを用いてＵＥ１０２へ信号を送信する。例えば、１つ以上の送信機１１７は、１つ以上の変調信号１１５をアップコンバートして送信する。
【０４６８】
復調器１７２は、１つ以上の復調信号１７０を作り出すために１つ以上の受信信号１７４を復調する。１つ以上の復調信号１７０は、デコーダ１６６へ供給される。ｅＮＢ１６０は、信号を復号するためにデコーダ１６６を用いる。デコーダ１６６は、１つ以上の復号信号１６４、１６８を作り出す。例えば、第１のｅＮＢ復号信号１６４は、データバッファ１６２に記憶される、受信したペイロード・データを備える。第２のｅＮＢ復号信号１６８は、オーバーヘッド・データおよび／または制御データを備える。例えば、第２のｅＮＢ復号信号１６８は、１つ以上のオペレーションを行うためにｅＮＢオペレーション・モジュール１８２によって用いられるデータ（例えば、ＰＤＳＣＨ  ＨＡＲＱ−ＡＣＫ情報）を供給する。
【０４６９】
一般に、ｅＮＢオペレーション・モジュール１８２は、ｅＮＢ１６０が１つ以上のＵＥ１０２と通信することを可能にする。ｅＮＢオペレーション・モジュール１８２は、ＵＬ−ＤＬ構成１９４、ｅＮＢフィードバックファクター確定モジュール１９８、ｅＮＢ  ＵＬ−ＤＬ構成確定モジュール１９６、ｅＮＢフィードバックパラメーター確定モジュール１５１、およびインタプリタ１０７のうちの１つ以上を含む。いくつかの実装では、ｅＮＢオペレーション・モジュール１８２は、方式シグナリング・モジュール１５３も含む。
【０４７０】
ＵＬ−ＤＬ構成１９４は、ｅＮＢ１６０とＵＥ（単数または複数）１０２との間の通信に用いられるＵＬ−ＤＬ構成のセットを指定する。ＵＬ−ＤＬ構成１９４の例は、上の表（１）に示されるＵＬ−ＤＬ構成０〜６を含む。ＵＬ−ＤＬ構成１９４は、ＵＥ（単数または複数）１０２との通信のためのＵＬおよびＤＬサブフレームを指定する。例えば、ＵＬ−ＤＬ構成１９４は、ｅＮＢ１６０が情報をＵＥ（単数または複数）１０２へ送信するためのＤＬサブフレームを示し、ｅＮＢ１６０が情報をＵＥ（単数または複数）１０２から受信するためのＵＬサブフレームを示す。セル上での適切な通信のために、ＵＥ１０２およびｅＮＢ１６０は、同じセル上では同じＵＬ−ＤＬ構成１９４を適用する。しかしながら、異なるセル（例えば、ＰＣｅｌｌおよびＳＣｅｌｌ（単数または複数））上では異なるＵＬ−ＤＬ構成１９４が適用されてもよい。
【０４７１】
ＵＬ−ＤＬ構成１９４は、（例えば、表（３）に示されるような）ＰＤＳＣＨ  ＨＡＲＱ−ＡＣＫアソシエーションも示す。ＰＤＳＣＨ  ＨＡＲＱ−ＡＣＫアソシエーションは、ＰＤＳＣＨに対応するＨＡＲＱ−ＡＣＫ情報を受信するための特定の（ＰＤＳＣＨ  ＨＡＲＱ−ＡＣＫ）タイミングを指定する。ＰＤＳＣＨ  ＨＡＲＱ−ＡＣＫアソシエーションは、ＵＥ１０２がＰＤＳＣＨに対応するＨＡＲＱ−ＡＣＫ情報をｅＮＢ１６０にレポートする（例えば、送信する）レポーティング・サブフレームを指定する。レポーティング・サブフレームは、ｅＮＢ１６０によって送信されたＰＤＳＣＨを含むサブフレームに基づいて確定される。
【０４７２】
ｅＮＢ  ＵＬ−ＤＬ構成確定モジュール１９６は、ＵＥ１０２がＵＬ−ＤＬ構成（単数または複数）１９４のうちのどれを１つ以上のセルに適用するかを確定する。例えば、ｅＮＢ１６０は、ＰＣｅｌｌのため、および１つ以上のＳＣｅｌｌのためのＵＬ−ＤＬ構成（単数または複数）１９４を示す、１つ以上のＲＲＣ構成（例えば、ＳＩＢ−１ブロードキャスト情報または専用シグナリング）を送信する。例として、ＰＣｅｌｌおよびＳＣｅｌｌは、キャリアアグリゲーションにおいて利用される。ｅＮＢ  ＵＬ−ＤＬ構成確定モジュール１９６は、ＵＬ−ＤＬ構成（単数または複数）１９４をＰＣｅｌｌに、およびＳＣｅｌｌに割り当てる。ｅＮＢ１６０は、これらの割り当ての１つ以上をＵＥ１０２へシグナリングする。ＰＣｅｌｌおよびＳＣｅｌｌ（単数または複数）のためのＵＬ−ＤＬ構成１９４は、同じであっても異なってもよい。
【０４７３】
ｅＮＢフィードバックファクター確定モジュール１９８は、フィードバックファクター
（例えば、
【０４７４】
【数１７１】
0006452447.tif 000175
【０４７５】
）
を確定する。例えば、ｅＮＢフィードバックファクター確定モジュール１９８は、フィードバックファクター
【０４７６】
【数１７２】
0006452447.tif 000176
【０４７７】
を確定し、ここで
【０４７８】
【数１７３】
0006452447.tif 000177
【０４７９】
は、ｃ番目の在圏セルに関して、ＨＡＲＱ−ＡＣＫビットをフィードバックするための下りリンクサブフレームの数である。加えて、または代わりに、ｅＮＢフィードバックファクター確定モジュール１９８は、フィードバックファクター
Ｕ
を確定し、ここで
Ｕ
は、すべての設定された在圏セルのうちの
Ｕｃ
の最大値を示し、
Ｕｃ
は、ｃ番目の在圏セル上で受信したＰＤＳＣＨと下りリンク・セミパーシステント・スケジューリング（ＳＰＳ）リリースを示すＰＤＣＣＨとの合計数である。
【０４８０】
フィードバックファクターは、例えば、１つ以上のセルに関して、ＤＣＩフォーマット０／４をもつ検出されたＰＤＣＣＨに基づいて調整されたＰＵＳＣＨ送信でレポートされることになる、サブフレームの数およびＨＡＲＱ−ＡＣＫビットを示す（例えば、確定するために利用される）。いくつかの実装では、ｅＮＢ１６０は、１つ以上のフィードバックファクター
（例えば、
【０４８１】
【数１７４】
0006452447.tif 000178
【０４８２】
）
を１つ以上の上りリンク（ＵＬ）グラントで送信する。ｅＮＢフィードバックファクター確定モジュール１９８は、上記の提案、アプローチ、ケース、手順などのうちの１つ以上に従って、１つ以上のフィードバックファクターを確定する。
【０４８３】
ｅＮＢレポーティング・サブフレーム確定モジュール（図１には示されない）は、ＨＡＲＱ−ＡＣＫ情報を受信するためのレポーティング・サブフレームを確定する。例えば、ｅＮＢレポーティング・サブフレーム確定モジュールは、ｅＮＢ１６０がＳＣｅｌｌ  ＰＤＳＣＨ  ＨＡＲＱ−ＡＣＫ情報（例えば、ＳＣｅｌｌに対応するＰＤＳＣＨ  ＨＡＲＱ−ＡＣＫ情報）をＵＥ１０２から受信するＨＡＲＱ−ＡＣＫレポーティング・サブフレームを確定する。例えば、ｅＮＢレポーティング・サブフレーム確定モジュールは、上の表（３）に記載された時間基準に従って、ＳＣｅｌｌ  ＨＡＲＱ−ＡＣＫ情報をＰＣｅｌｌ上で受信するためのレポーティング・サブフレームを確定する。例として、上の表（３）（例えば、ＰＤＳＣＨ  ＨＡＲＱ−ＡＣＫアソシエーション表）は、サブフレーム（例えば、ＵＬサブフレーム）番号ｎに対して、インデックス集合Ｋ：｛ｋ０，ｋ１，・・・，ｋＭ−１｝によって対応するＰＤＳＣＨの位置を示し、サブフレームｎ−ｋ（例えば、ｎ−ｋ１）におけるＰＤＳＣＨのＨＡＲＱ−ＡＣＫがＵＬサブフレームｎでレポートされる。ｅＮＢ１６０は、確定されたＨＡＲＱ−ＡＣＫレポーティング・サブフレームでＳＣｅｌｌ  ＨＡＲＱ−ＡＣＫ情報を受信する。
【０４８４】
ｅＮＢフィードバックパラメーター確定モジュール１５１は、１つ以上のセル（例えば、ＰＣｅｌｌ、ＳＣｅｌｌ（単数または複数））に対応する１つ以上のフィードバックパラメーターを確定する。例えば、ｅＮＢフィードバックパラメーター確定モジュール１５１は、１つ以上のセルｃに関して、フィードバックパラメーターＭｃを確定する。この確定は、例えば、上に（例として、図３に関連して）記載されるように達成される。いくつかの実装では、決定は、ＰＣｅｌｌ構成、ＳＣｅｌｌ構成、参照構成、衝突サブフレームの数、およびフィードバックパラメーター確定方式のうちの１つ以上に基づく。
【０４８５】
随意的な方式シグナリング・モジュール１５３は、フィードバックパラメーター確定方式インジケーターおよびセレクション方式インジケーターのうちの１つ以上を生成する。いくつかの実装では、複数のフィードバックパラメーター確定方式のうちの１つが利用される。これらの実装では、ｅＮＢ１６０は、どの方式が利用されるかをシグナリングする。例えば、ｅＮＢ１６０は、フィードバックパラメーター（例えば、Ｍｃ）が、参照パラメーター（例えば、ＭＲｅｆ）に基づいて確定されるか、または、参照パラメーターおよび衝突サブフレームの数（例えば、ＭＥｆｆ＝ＭＲｅｆ−ｍ）に基づいて確定されるかどうかを示す、フィードバックパラメーター確定方式インジケーターを送信する。他の実装では、ｅＮＢ１６０およびＵＥ１０２によって１つだけのフィードバックパラメーター確定方式が利用される。これらの実装では、ｅＮＢ１６０は、フィードバックパラメーター確定方式をシグナリングしなくてよい。
【０４８６】
加えて、または代わりに、いくつかの実装では、複数のセレクション方式のうちの１つが利用される。これらの実装では、ｅＮＢ１６０は、どの方式が利用されるかをシグナリングする。例えば、ｅＮＢ１６０は、（例えば、フィードバックファクター（単数または複数）を確定するときにＵＥ１０２が適用するための）上記の提案、アプローチ、ケース、手順などのうちの１つ以上を示すセレクション方式インジケーターを送信する。他の実装では、ｅＮＢ１６０およびＵＥ１０２によって１つだけのセレクション方式が利用される。これらの実装では、ｅＮＢ１６０は、セレクション方式をシグナリングしなくてよい。
【０４８７】
インタプリタ１０７は、いくつかの場合に、ＨＡＲＱ−ＡＣＫ情報のフォーマットを解釈する。例えば、インタプリタ１０７は、１つ以上のフィードバックファクターに基づいてＨＡＲＱ−ＡＣＫ情報を解釈する。例として、フィードバックファクターは、ＵＥ１０２からの受信に関して、サブフレームの数およびＨＡＲＱ−ＡＣＫビットを確定するために用いられる。例として、インタプリタ１０７は、受信したＨＡＲＱ−ＡＣＫ情報を上記の提案、アプローチ、手順、技術および方法のうちの１つ以上に従って解釈する。
【０４８８】
ｅＮＢオペレーション・モジュール１８２は、情報１９０を１つ以上の受信機１７８に提供する。例えば、ｅＮＢオペレーション・モジュール１８２は、既知のセルのためのＵＬ−ＤＬ構成１９４に基づいて、送信をいつ受信すべきか、いつすべきでないかを受信機（単数または複数）１７８に通知する。
【０４８９】
ｅＮＢオペレーション・モジュール１８２は、情報１８８を復調器１７２に提供する。例えば、ｅＮＢオペレーション・モジュール１８２は、ＵＥ（単数または複数）１０２からの送信に予想される変調パターンを復調器１７２に通知する。
【０４９０】
ｅＮＢオペレーション・モジュール１８２は、情報１８６をデコーダ１６６に提供する。例えば、ｅＮＢオペレーション・モジュール１８２は、ＵＥ（単数または複数）１０２からの送信に予想される符号化法をデコーダ１６６に通知する。
【０４９１】
ｅＮＢオペレーション・モジュール１８２は、情報１０１をエンコーダ１０９に提供する。情報１０１は、符号化すべきデータおよび／または符号化のための命令を含む。例えば、ｅＮＢオペレーション・モジュール１８２は、送信データ１０５および／または他の情報１０１を符号化するようにエンコーダ１０９に命令する。他の情報１０１は、例えば、ＲＲＣ構成（例えば、ＳＩＢ−１ブロードキャスト情報または専用シグナリング）（例えば、ＰＣｅｌｌ構成インジケーター、ＳＣｅｌｌ構成インジケーター）、チャネル方式確定インジケーター、およびフィードバックパラメーター確定方式インジケーターのうちの１つ以上を含む。
【０４９２】
エンコーダ１０９は、送信データ１０５および／またはｅＮＢオペレーション・モジュール１８２によって提供された他の情報１０１を符号化する。例えば、データ１０５および／または他の情報１０１の符号化は、誤り検出および／または訂正符号化、送信のための空間、時間および／または周波数リソースへのデータのマッピング、多重化などを伴う。エンコーダ１０９は、符号化データ１１１を変調器１１３へ供給する。送信データ１０５は、ＵＥ１０２へ伝えられることになるネットワーク・データを含む。
【０４９３】
ｅＮＢオペレーション・モジュール１８２は、情報１０３を変調器１１３に提供する。この情報１０３は、変調器１１３に対する命令を含む。例えば、ｅＮＢオペレーション・モジュール１８２は、ＵＥ（単数または複数）１０２への送信に用いるための変調型（例えば、コンステレーション・マッピング）を変調器１１３に通知する。変調器１１３は、１つ以上の変調信号１１５を１つ以上の送信機１１７へ供給するために符号化データ１１１を変調する。
【０４９４】
ｅＮＢオペレーション・モジュール１８２は、情報１９２を１つ以上の送信機１１７に提供する。この情報１９２は、１つ以上の送信機１１７に対する命令を含む。例えば、ｅＮＢオペレーション・モジュール１８２は、信号をＵＥ（単数または複数）１０２へいつ送信すべきか（またはいつすべきでないか）を１つ以上の送信機１１７に命令する。いくつかの実装では、これは、ＵＬ−ＤＬ構成１９４に基づく。１つ以上の送信機１１７は、変調信号（単数または複数）１１５を１つ以上のＵＥ１０２へアップコンバートして送信する。
【０４９５】
留意すべきは、ＤＬサブフレームがｅＮＢ１６０から１つ以上のＵＥ１０２へ送信され、ＵＬサブフレームが１つ以上のＵＥ１０２からｅＮＢ１６０へ送信されることである。そのうえ、標準スペシャルサブフレームではｅＮＢ１６０も１つ以上のＵＥ１０２もデータを送信してよい。
【０４９６】
留意すべきは、ｅＮＢ（単数または複数）１６０およびＵＥ（単数または複数）１０２に含まれる要素またはその部分のうちの１つ以上がハードウェアで実装されてもよいことである。例えば、これらの要素またはその部分の１つ以上は、チップ、回路素子またはハードウェア・コンポーネントなどとして実装されてもよい。本明細書に記載される機能または方法のうちの１つ以上は、ハードウェアで実装されてもよく、および／またはハードウェアを用いて行われてもよいことにも留意すべきである。例えば、本明細書に記載される方法の１つ以上は、チップセット、特定用途向け集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ）、大規模集積回路（ＬＳＩ：ｌａｒｇｅ−ｓｃａｌｅ  ｉｎｔｅｇｒａｔｅｄ  ｃｉｒｃｕｉｔ）または集積回路などで実装されてもよく、および／またはそれらを用いて実現されてもよい。
【０４９７】
図２は、ＵＥ１０２によってフィードバック情報を送信するための方法２００の一構成を示すフロー図である。ＵＥ１０２は、複数のセルに関して、ＵＬ−ＤＬ構成を確定し（ステップ２０２）、少なくとも２つのセルは、異なるＵＬ−ＤＬ構成を有する。例えば、ＵＥ１０２は、ＰＣｅｌｌおよび１つ以上のＳＣｅｌｌに関して、ＵＬ−ＤＬ構成（単数または複数）１２８を示す１つ以上のＲＲＣ構成（例えば、ＳＩＢ−１ブロードキャスト情報または専用シグナリング）を受信する。例として、ＰＣｅｌｌおよびＳＣｅｌｌは、キャリアアグリゲーションにおいて利用される。ＵＥ  ＵＬ−ＤＬ構成確定モジュール１３０は、どのＵＬ−ＤＬ構成１２８がＰＣｅｌｌに割り当てられ、どのＵＬ−ＤＬ構成１２８がＳＣｅｌｌに割り当てられるかを確定する。ＰＣｅｌｌおよびＳＣｅｌｌ（単数または複数）のためのＵＬ−ＤＬ構成１２８は、同じであっても異なってもよい。
【０４９８】
ＵＥ１０２は、第２のフィードバックファクター
（例えば、
【０４９９】
【数１７５】
0006452447.tif 000179
【０５００】
）
に基づいて、複数のセルに関して、第１のフィードバックファクター
（例えば、
【０５０１】
【数１７６】
0006452447.tif 000180
【０５０２】
）
を確定する（ステップ２０４）。第１のフィードバックファクターを確定するステップ２０４は、ＵＬ−ＤＬ構成５が複数のセルのうちの少なくとも１つのために設定されるか、または、複数のセルのうちの少なくとも１つのための参照構成である場合に、第３のフィードバックファクター
（例えば、Ｕ）
にさらに基づく。例えば、ＵＥ１０２は、上記の提案、ケース、アプローチ、手順などのうちの１つ以上に従って、第１のフィードバックファクター
【０５０３】
【数１７７】
0006452447.tif 000181
【０５０４】
を確定する（ステップ２０４）。
【０５０５】
ＵＥ１０２は、複数のセルに関して、第１のフィードバックファクター
（例えば、
【０５０６】
【数１７８】
0006452447.tif 000182
【０５０７】
）
に基づいて、ＰＵＳＣＨ上でＨＡＲＱ−ＡＣＫ情報を送信する（ステップ２０６）。例えば、第１のフィードバックファクター
【０５０８】
【数１７９】
0006452447.tif 000183
【０５０９】
は、ｅＮＢ１６０への送信のためのサブフレームの数およびＨＡＲＱ−ＡＣＫビットを確定するために利用される。
【０５１０】
図３は、ｅＮＢ１０６によってフィードバック情報を受信するための方法３００の一構成を示すフロー図である。ｅＮＢ１０６は、複数のセルに関して、ＵＬ−ＤＬ構成を確定し（ステップ３０２）、少なくとも２つのセルは、異なるＵＬ−ＤＬ構成を有する。例えば、ｅＮＢ１０６は、ＰＣｅｌｌおよび１つ以上のＳＣｅｌｌに関して、ＵＬ−ＤＬ構成（単数または複数）１２８を示す１つ以上のＲＲＣ構成（例えば、ＳＩＢ−１ブロードキャスト情報または専用シグナリング）を送信する。例として、ＰＣｅｌｌおよびＳＣｅｌｌは、キャリアアグリゲーションにおいて利用される。ＵＥ  ＵＬ−ＤＬ構成確定モジュール１３０は、どのＵＬ−ＤＬ構成１２８がＰＣｅｌｌに割り当てられ、どのＵＬ−ＤＬ構成１２８がＳＣｅｌｌに割り当てられるかを確定する。ＰＣｅｌｌおよびＳＣｅｌｌ（単数または複数）のためのＵＬ−ＤＬ構成１２８は、同じであっても異なってもよい。
【０５１１】
ｅＮＢ１０６は、第２のフィードバックファクター
（例えば、
【０５１２】
【数１８０】
0006452447.tif 000184
【０５１３】
）
に基づいて、複数のセルに関して、第１のフィードバックファクター
（例えば、
【０５１４】
【数１８１】
0006452447.tif 000185
【０５１５】
）
を確定する（ステップ３０４）。第１のフィードバックファクターを確定するステップ３０４は、ＵＬ−ＤＬ構成５が複数のセルのうちの少なくとも１つのために設定されるか、または、複数のセルのうちの少なくとも１つのための参照構成である場合に、第３のフィードバックファクター
（例えば、Ｕ）
にさらに基づく。例えば、ｅＮＢ１０６は、上記の提案、ケース、アプローチ、手順などのうちの１つ以上に従って、第１のフィードバックファクター
【０５１６】
【数１８２】
0006452447.tif 000186
【０５１７】
を確定する（ステップ３０４）。
【０５１８】
ｅＮＢ１０６は、複数のセルに関して、第１のフィードバックファクター
（例えば、
【０５１９】
【数１８３】
0006452447.tif 000187
【０５２０】
）
に基づいて、ＰＵＳＣＨ上でＨＡＲＱ−ＡＣＫ情報を受信する（ステップ３０６）。例えば、第１のフィードバックファクター
【０５２１】
【数１８４】
0006452447.tif 000188
【０５２２】
は、ＵＥ１０２からの受信のためのサブフレームの数およびＨＡＲＱ−ＡＣＫビットを確定するために利用される。
【０５２３】
図４は、本明細書に開示されるシステムおよび方法に従って用いられる無線フレーム４３５の一例を示す図である。この無線フレーム４３５構造は、ＴＤＤアプローチに適用可能である。各無線フレーム４３５は、
Ｔｆ＝３０７２００・Ｔｓ＝１０ｍｓ
の長さを有し、ここでＴｆは、無線フレーム４３５の持続時間であり、Ｔｓは、
１／（１５０００×２０４８）秒
に等しい時間単位である。無線フレーム４３５は、
１５３６００・Ｔｓ＝５ｍｓ
の長さをそれぞれが有する２つのハーフフレーム４３３を含む。各ハーフフレーム４３３は、
３０７２０・Ｔｓ＝１ｍｓ
の長さをそれぞれが有する５つのサブフレーム４２３ａ〜ｅ、４２３ｆ〜ｊを含む。
【０５２４】
上の表（１）では、無線フレームにおけるサブフレームごとに、「Ｄ」は、サブフレームが下りリンク送信のために予約されていることを示し、「Ｕ」は、サブフレームが上りリンク送信のために予約されていることを示し、「Ｓ」は、３つのフィールド、すなわち、下りリンク・パイロット時間スロット（ＤｗＰＴＳ：ｄｏｗｎｌｉｎｋ  ｐｉｌｏｔ  ｔｉｍｅ  ｓｌｏｔ）、ガード期間（ＧＰ：ｇｕａｒｄ  ｐｅｒｉｏｄ）、および上りリンク・パイロット時間スロット（ＵｐＰＴＳ：ｕｐｌｉｎｋ  ｐｉｌｏｔ  ｔｉｍｅ  ｓｌｏｔ）をもつスペシャルサブフレームを示す。ＤｗＰＴＳおよびＵｐＰＴＳの長さは、ＤｗＰＴＳ、ＧＰおよびＵｐＰＴＳの全長が
３０７２０・Ｔｓ＝１ｍｓ
に等しいことを前提として、（３ＧＰＰ  ＴＳ３６．２１１の表４．２−１からの）表（４）に示される。表（４）は、（標準）スペシャルサブフレームのいくつかの構成を示す。各サブフレームｉは、各サブフレームにおける長さが
Ｔｓｌｏｔ＝１５３６０・Ｔｓ＝０．５ｍｓ
の２つのスロット、２ｉおよび２ｉ＋１として定義される。表（４）では、便宜上、「サイクリックプレフィックス」は「ＣＰ」と略記され、「構成」は「Ｃｏｎｆｉｇ」と略記される。
【０５２５】
【表４】
0006452447.tif 000189
【０５２６】
下りリンクから上りリンクへの切り替えポイント周期が５ｍｓおよび１０ｍｓの両方のＵＬ−ＤＬ構成がサポートされる。下りリンクから上りリンクへの切り替えポイント周期が５ｍｓの場合には、スペシャルサブフレームが両方のハーフフレームに存在する。下りリンクから上りリンクへの切り替えポイント周期が１０ｍｓの場合には、スペシャルサブフレームが第１のハーフフレームのみに存在する。サブフレーム０および５ならびにＤｗＰＴＳは、下りリンク送信のために予約される。ＵｐＰＴＳおよびスペシャルサブフレームのすぐ後に続くサブフレームは、上り送信のために予約される。
【０５２７】
本明細書に開示されるシステムおよび方法に従って、用いられるサブフレーム４２３のいくつかのタイプは、下りリンクサブフレーム、上りリンクサブフレームおよびスペシャルサブフレーム４３１を含む。図４に示される５ｍｓ周期を有する例では、無線フレーム４３５に２つの標準スペシャルサブフレーム４３１ａ〜ｂが含まれる。
【０５２８】
第１のスペシャルサブフレーム４３１ａは、下りリンク・パイロット時間スロット（ＤｗＰＴＳ）４２５ａ、ガード期間（ＧＰ）４２７ａ、および上りリンク・パイロット時間スロット（ＵｐＰＴＳ）４２９ａを含む。この例では、第１の標準スペシャルサブフレーム４３１ａは、サブフレームｏｎｅ４２３ｂに含まれる。第２の標準スペシャルサブフレーム４３１ｂは、下りリンク・パイロット時間スロット（ＤｗＰＴＳ）４２５ｂ、ガード期間（ＧＰ）４２７ｂ、および上りリンク・パイロット時間スロット（ＵｐＰＴＳ）４２９ｂを含む。この例では、第２の標準スペシャルサブフレーム４３１ｂは、サブフレームｓｉｘ４２３ｇに含まれる。ＤｗＰＴＳ４２５ａ〜ｂおよびＵｐＰＴＳ４２９ａ〜ｂの長さは、ＤｗＰＴＳ４２５、ＧＰ４２７およびＵｐＰＴＳ４２９の各セットの全長が
３０７２０・Ｔｓ＝１ｍｓ
に等しいことを前提として、（上の表（５）に示される）３ＧＰＰ  ＴＳ３６．２１１の表４．２−１によって示される。
【０５２９】
各サブフレームｉ４２３ａ〜ｊ（この例では、ｉは、サブフレームｚｅｒｏ４２３ａ（例えば０）からサブフレームｎｉｎｅ４２３ｊ（例えば９）に及ぶサブフレームを示す）は、各サブフレーム４２３における長さが
Ｔｓｌｏｔ＝１５３６０・Ｔｓ＝０．５ｍｓ
の２つのスロット、２ｉおよび２ｉ＋１として定義される。例えば、サブフレームｚｅｒｏ（例えば０）４２３ａは、第１のスロットを含めて、２つのスロットを含む。
【０５３０】
本明細書に開示されるシステムおよび方法に従って、下りリンクから上りリンクへの切り替えポイント周期が５ｍｓおよび１０ｍｓの両方のＵＬ−ＤＬ構成が用いられる。図４は、切り替えポイント周期が５ｍｓの無線フレーム４３５の一例を示す。下りリンクから上りリンクへの切り替えポイント周期が５ｍｓの場合には、各ハーフフレーム４３３が標準スペシャルサブフレーム４３１ａ〜ｂを含む。下りリンクから上りリンクへの切り替えポイント周期が１０ｍｓの場合には、スペシャルサブフレームが第１のハーフフレーム４３３のみに存在する。
【０５３１】
サブフレームｚｅｒｏ（例えば０）４２３ａおよびサブフレームｆｉｖｅ（例えば５）４２３ｆならびにＤｗＰＴＳ４２５ａ〜ｂは、下りリンク送信のために予約される。ＵｐＰＴＳ４２９ａ〜ｂおよびスペシャルサブフレーム（単数または複数）４３１ａ〜ｂのすぐ後に続くサブフレーム（単数または複数）（例えば、サブフレームｔｗｏ４２３ｃおよびサブフレームｓｅｖｅｎ４２３ｈ）は、上り送信のために予約される。留意すべきは、いくつかの実装では、衝突サブフレームの数を確定するために、スペシャルサブフレーム４３１がＤＬサブフレームと見做されることである。
【０５３２】
図５は、本明細書に記載されるシステムおよび方法によるいくつかのＵＬ−ＤＬ構成５３７ａ〜ｇを示す図である。特に、図５は、サブフレーム５２３ａおよびサブフレーム番号５３９ａをもつＵＬ−ＤＬ構成ｚｅｒｏ５３７ａ（例えば、「ＵＬ−ＤＬ構成０」）、サブフレーム５２３ｂおよびサブフレーム番号５３９ｂをもつＵＬ−ＤＬ構成ｏｎｅ５３７ｂ（例えば、「ＵＬ−ＤＬ構成１」）、サブフレーム５２３ｃおよびサブフレーム番号５３９ｃをもつＵＬ−ＤＬ構成ｔｗｏ５３７ｃ（例えば、「ＵＬ−ＤＬ構成２」）、ならびにサブフレーム５２３ｄおよびサブフレーム番号５３９ｄをもつＵＬ−ＤＬ構成ｔｈｒｅｅ５３７ｄ（例えば、「ＵＬ−ＤＬ構成３」）を示す。図５は、サブフレーム５２３ｅおよびサブフレーム番号５３９ｅをもつＵＬ−ＤＬ構成ｆｏｕｒ５３７ｅ（例えば、「ＵＬ−ＤＬ構成４」）、サブフレーム５２３ｆおよびサブフレーム番号５３９ｆをもつＵＬ−ＤＬ構成ｆｉｖｅ５３７ｆ（例えば、「ＵＬ−ＤＬ構成５」）、ならびにサブフレーム５２３ｇおよびサブフレーム番号５３９ｇをもつＵＬ−ＤＬ構成ｓｉｘ５３７ｇ（例えば、「ＵＬ−ＤＬ構成６」）も示す。
【０５３３】
図５は、ＰＤＳＣＨ  ＨＡＲＱ−ＡＣＫアソシエーション５４１（例えば、ＰＵＣＣＨまたはＰＵＳＣＨ上でのＰＤＳＣＨ  ＨＡＲＱ−ＡＣＫフィードバック・アソシエーション）をさらに示す。ＰＤＳＣＨ  ＨＡＲＱ−ＡＣＫアソシエーション５４１は、ＰＤＳＣＨ送信のためのサブフレーム（例えば、ＰＤＳＣＨ送信が送られるか、および／または受信されるサブフレーム）に対応するＨＡＲＱ−ＡＣＫレポーティング・サブフレームを示す。留意すべきは、図５に示される無線フレームのいくつかが、便宜上、切り詰められていることである。
【０５３４】
本明細書に開示されるシステムおよび方法は、図５に示されるＵＬ−ＤＬ構成５３７ａ〜ｇの１つ以上に適用される。例えば、図５に示されるＵＬ−ＤＬ構成５３７ａ〜ｇのうちの１つに対応する１つ以上のＰＤＳＣＨ  ＨＡＲＱ−ＡＣＫアソシエーション５４１が、ＵＥ１０２とｅＮＢ１６０との間の通信に適用される。例えば、ＵＬ−ＤＬ構成５３７がＰＣｅｌｌに確定される（例えば、割り当てられる、適用される）。この場合、ＰＤＳＣＨ  ＨＡＲＱ−ＡＣＫアソシエーション５４１は、ＰＣｅｌｌに対応するＨＡＲＱ−ＡＣＫフィードバック送信のためのＰＤＳＣＨ  ＨＡＲＱ−ＡＣＫタイミング（例えば、ＨＡＲＱ−ＡＣＫレポーティング・サブフレーム）を指定する。ＳＣｅｌｌ  ＨＡＲＱ−ＡＣＫフィードバック送信に関しては、フィードバックパラメーターに従って参照ＵＬ−ＤＬ構成に対応するＰＤＳＣＨ  ＨＡＲＱ−ＡＣＫアソシエーション５４１が利用される。いくつかの事例では、ＰＤＳＣＨ  ＨＡＲＱ−ＡＣＫ情報は、上記のようにチャネルセレクションを伴うフォーマット１ｂに基づいてフォーマットされ、上りリンクサブフレームでレポートされる。
【０５３５】
図６は、ＰＣｅｌｌ構成およびＳＣｅｌｌ構成の例を示す図である。特に、図６は、サブフレーム６２３ｂおよびサブフレーム番号６３９ｂをもつＳＣｅｌｌ構成１（例えば、「ｏｎｅ」）６３７ｂに加えて、サブフレーム６２３ａおよびサブフレーム番号６３９ａをもつＰＣｅｌｌ構成２（例えば、「ｔｗｏ」）６３７ａを示す。そのうえ、下りリンク送信に対するＡＣＫ／ＮＡＣＫフィードバック・アソシエーション６４１、および、ＰＵＳＣＨ送信に対する下りリンク・スケジュール・アソシエーション６４３が示される。
【０５３６】
図６に示される例は、異なるＵＬグラント・タイミングの例である。特に、図６は、ＰＣｅｌｌがＵＬ−ＤＬ構成２を用いるように設定され、ＳＣｅｌｌがＵＬ−ＤＬ構成１を用いるように設定された例を示す。この場合、ＳＣｅｌｌのＰＤＳＣＨ  ＨＡＲＱ−ＡＣＫは、ＰＣｅｌｌタイミングに従う。しかしながら、ＳＣｅｌｌは、それ自体のＵＬグラント（例えば、ＰＵＳＣＨスケジューリング・タイミング）に従う。
【０５３７】
図６における課題として、サブフレーム６ではＳＣｅｌｌ上でＵＬグラントが発行され、サブフレーム８ではＰＣｅｌｌ上でＵＬグラントが何も発行されないことを考える。サブフレーム６においてＳＣｅｌｌ上でＵＬグラントが発行されるときに、ｅＮＢは、サブフレーム８においてＰＣｅｌｌ上でＵＥのためにＰＤＳＣＨがスケジュールされることになるかどうかを予め認識していない。従って、ｅＮＢは、サブフレーム６におけるＵＬグラント上の
【０５３８】
【数１８５】
0006452447.tif 000190
【０５３９】
にサブフレーム８を含めるべきかどうかを認識していない。
【０５４０】
図７は、ＰＣｅｌｌ構成およびＳＣｅｌｌ構成の別の例を示す図である。特に、図７は、サブフレーム７２３ｂおよびサブフレーム番号７３９ｂをもつＳＣｅｌｌ構成２（例えば、「ｔｗｏ」）７３７ｂに加えて、サブフレーム７２３ａおよびサブフレーム番号７３９ａをもつＰＣｅｌｌ構成１（例えば、「ｏｎｅ」）７３７ａを示す。そのうえ、下りリンク送信に対するＡＣＫ／ＮＡＣＫフィードバック・アソシエーション７４１、およびＰＵＳＣＨ送信に対する下りリンク・スケジュール・アソシエーション７４３が示される。
【０５４１】
図７における例は、異なるＵＬグラント・タイミングの別の例である。特に、この例では、ＰＣｅｌｌがサブフレーム６にＵＬグラントを有し、ＳＣｅｌｌからのＵＬグラントが何もない場合に、（上の図６に記載されたのと）同じ課題が存在する。例えば、ＰＣｅｌｌは、構成１を用いるように設定され、ＳＣｅｌｌは、構成２を用いるように設定される。ＰＣｅｌｌおよびＳＣｅｌｌは、それら自体のＰＤＳＣＨおよびＰＵＳＣＨタイミングに従い、これらは互いに異なる。
【０５４２】
図８は、ＵＥ８０２に利用される様々なコンポーネントを示す。図８に関連して記載されるＵＥ８０２は、図１に関連して記載されるＵＥ１０２に従って実装される。ＵＥ８０２は、ＵＥ８０２のオペレーションを制御するプロセッサ８６３を含む。プロセッサ８６３は、中央処理装置（ＣＰＵ：ｃｅｎｔｒａｌ  ｐｒｏｃｅｓｓｉｎｇ  ｕｎｉｔ）とも呼ばれる。メモリ８６９は、リードオンリメモリ（ＲＯＭ：ｒｅａｄ−ｏｎｌｙ  ｍｅｍｏｒｙ）、ランダムアクセスメモリ（ＲＡＭ：ｒａｎｄｏｍ  ａｃｃｅｓｓ  ｍｅｍｏｒｙ）、これら２つの組み合わせ、あるいは情報を記憶する任意のタイプのデバイスを含み、プロセッサ８６３に命令８６５ａおよびデータ８６７ａを与える。メモリ８６９の一部分は、不揮発性ランダムアクセスメモリ（ＮＶＲＡＭ：ｎｏｎ−ｖｏｌａｔｉｌｅ  ｒａｎｄｏｍ  ａｃｃｅｓｓ  ｍｅｍｏｒｙ）も含んでよい。命令８６５ｂおよびデータ８６７ｂは、プロセッサ８６３にも存在する。プロセッサ８６３に読み込まれた命令８６５ｂおよび／またはデータ８６７ｂは、プロセッサ８６３による実行または処理のために読み込まれた、メモリ８６９からの命令８６５ａおよび／またはデータ８６７ａも含んでよい。命令８６５ｂは、上記の方法２００を実装するためにプロセッサ８６３によって実行される。
【０５４３】
ＵＥ８０２は、データの送受信を可能にするための１つ以上の送信機８５８および１つ以上の受信機８２０が入った筺体も含む。送信機（単数または複数）８５８および受信機（単数または複数）８２０は、１つ以上のトランシーバ８１８に組み合わされてもよい。１つ以上のアンテナ８２２ａ〜ｎは、筺体に取り付けられ、トランシーバ８１８に電気的に結合される。
【０５４４】
ＵＥ８０２の様々なコンポーネントは、データバスに加えて、電力バス、制御信号バスおよびステータス信号バスを含む、バスシステム８７１によって結合される。しかしながら、明確にするために、図８では様々なバスがバスシステム８７１として示される。ＵＥ８０２は、信号処理用のデジタル信号プロセッサ（ＤＳＰ：ｄｉｇｉｔａｌ  ｓｉｇｎａｌ  ｐｒｏｃｅｓｓｏｒ）８７３も含んでよい。ＵＥ８０２は、ＵＥ８０２の機能へのユーザ・アクセスを提供する通信インターフェース８７５も含んでよい。図８に示されるＵＥ８０２は、具体的なコンポーネントのリスティングではなく、機能ブロック図である。
【０５４５】
図９は、ｅＮＢ９６０に利用される様々なコンポーネントを示す。図９に関連して記載されるｅＮＢ９６０は、図１に関連して記載されるｅＮＢ１６０に従って実装される。ｅＮＢ９６０は、ｅＮＢ９６０のオペレーションを制御するプロセッサ９７７を含む。プロセッサ９７７は、中央処理装置（ＣＰＵ）とも呼ばれる。メモリ９８３は、リードオンリメモリ（ＲＯＭ）、ランダムアクセスメモリ（ＲＡＭ）、これら２つの組み合わせ、あるいは情報を記憶する任意のタイプのデバイスを含み、プロセッサ９７７に命令９７９ａおよびデータ９８１ａを与える。メモリ９８３の一部分は、不揮発性ランダムアクセスメモリ（ＮＶＲＡＭ）も含んでよい。命令９７９ｂおよびデータ９８１ｂは、プロセッサ９７７にも存在する。プロセッサ９７７に読み込まれた命令９７９ｂおよび／またはデータ９８１ｂは、プロセッサ９７７による実行または処理のために読み込まれた、メモリ９８３からの命令９７９ａおよび／またはデータ９８１ａも含んでよい。命令９７９ｂは、上記の方法３００を実装するためにプロセッサ９７７によって実行される。
【０５４６】
ｅＮＢ９６０は、データの送受信を可能にするための１つ以上の送信機９１７および１つ以上の受信機９７８が入った筺体も含む。送信機（単数または複数）９１７および受信機（単数または複数）９７８は、１つ以上のトランシーバ９７６に組み合わされてもよい。１つ以上のアンテナ９８０ａ〜ｎは、筺体に取り付けられ、トランシーバ９７６に電気的に結合される。
【０５４７】
ｅＮＢ９６０の様々なコンポーネントは、データバスに加えて、電力バス、制御信号バスおよびステータス信号バスを含む、バスシステム９８５によって結合される。しかしながら、明確にするために、図９では様々なバスがバスシステム９８５として示される。ｅＮＢ９６０は、信号処理用のデジタル信号プロセッサ（ＤＳＰ）９８７も含んでよい。ｅＮＢ９６０は、ｅＮＢ９６０の機能へのユーザ・アクセスを提供する通信インターフェース９８９も含んでよい。図９に示されるｅＮＢ９６０は、具体的なコンポーネントのリスティングではなく、機能ブロック図である。
【０５４８】
図１０は、フィードバック情報を送信するためのシステムおよび方法が実装されたＵＥ１００２の一構成を示すブロック図である。ＵＥ１００２は、送信手段１０５８、受信手段１０２０および制御手段１０２４を含む。送信手段１０５８、受信手段１０２０および制御手段１０２４は、上の図２および図８に関連して記載される機能の１つ以上を実行するように構成される。上の図８は、図１０の具体的な装置構造の一例を示す。図２および図８の機能の１つ以上を実現するために、他の様々な構造が実装されてもよい。例えば、ＤＳＰがソフトウェアによって実現されてもよい。
【０５４９】
図１１は、フィードバック情報を受信するためのシステムおよび方法が実装されたｅＮＢ１１６０の一構成を示すブロック図である。ｅＮＢ１１６０は、送信手段１１１７、受信手段１１７８および制御手段１１８２を含む。送信手段１１１７、受信手段１１７８および制御手段１１８２は、上の図３  図９に関連して記載される機能の１つ以上を実行するように構成される。上の図９は、図１１の具体的な装置構造の一例を示す。図３および図９の機能の１つ以上を実現するために、他の様々な構造が実装されてもよい。例えば、ＤＳＰがソフトウェアによって実現されてもよい。
【０５５０】
用語「コンピュータ可読媒体」は、コンピュータまたはプロセッサによってアクセスできる任意の利用可能な媒体を指す。用語「コンピュータ可読媒体」は、本明細書では、非一時的かつ有形のコンピュータおよび／またはプロセッサ可読媒体を示す。限定ではなく、例として、コンピュータ可読またはプロセッサ可読媒体は、ＲＡＭ、ＲＯＭ、ＥＥＰＲＯＭ、ＣＤ−ＲＯＭまたは他の光ディスク記憶、磁気ディスク記憶もしくは他の磁気記憶デバイス、あるいは命令の形態の所望のプログラムコードまたはデータ構造を載せるか、または記憶するために用いることができ、コンピュータまたはプロセッサによってアクセスできる任意の他の媒体を備える。ディスク（ｄｉｓｋ）およびディスク（ｄｉｓｃ）は、本明細書では、コンパクトディスク（ＣＤ：ｃｏｍｐａｃｔ  ｄｉｓｃ）、レーザディスク（ｌａｓｅｒ  ｄｉｓｃ）、光ディスク（ｏｐｔｉｃａｌ  ｄｉｓｃ）、デジタルバーサタイルディスク（ＤＶＤ：ｄｉｇｉｔａｌ  ｖｅｒｓａｔｉｌｅ  ｄｉｓｃ）、フロッピーディスク（ｆｌｏｐｐｙ  ｄｉｓｋ）およびＢｌｕ−ｒａｙ（登録商標）ディスク（ｄｉｓｃ）を含み、ディスク（ｄｉｓｋ）は、通常、磁気的にデータを再生し、一方でディスク（ｄｉｓｃ）は、レーザを用いて光学的にデータを再生する。
【０５５１】
留意すべきは、本明細書に記載される方法の１つ以上がハードウェアで実装されてもよく、および／またはハードウェアを用いて行われてもよいことである。例えば、本明細書に記載される方法の１つ以上は、チップセット、特定用途向け集積回路（ＡＳＩＣ）、大規模集積回路（ＬＳＩ）または集積回路などで実装されてもよく、および／またはそれらを用いて実現されてもよい。
【０５５２】
本明細書に開示されるそれぞれの方法は、記載される方法を達成するための１つ以上のステップまたは動作を備える。本方法のステップおよび／または動作は、特許請求の範囲から逸脱することなく、相互に交換されてもよく、および／または単一のステップに組み合わされてもよい。言い換えれば、記載される方法の適切なオペレーションのためにステップまたは動作の特定の順序が必要とされない限り、特許請求の範囲から逸脱することなく、特定のステップおよび／または動作の順序および／または使用が修正されてもよい。
【０５５３】
当然のことながら、特許請求の範囲は、上に示された通りの構成および構成要素には限定されない。特許請求の範囲から逸脱することなく、本明細書に記載される配置、オペレーション、ならびにシステム、方法、および装置の詳細に様々な修正、変更および変形がなされてもよい。
【０５５４】
付記
端末装置（ＵＥ）によってフィードバック情報を送信するための方法が記載される。方法は、複数のセルに関して、上り下りリンク（ＵＬ−ＤＬ）構成を確定するステップを含む。複数のセルのうちの少なくとも２つは、異なる上り下りリンク（ＵＬ−ＤＬ）構成を有する。方法は、第２のフィードバックファクターに基づいて、複数のセルに関して、第１のフィードバックファクターを確定するステップも含む。方法は、複数のセルに関して、第１のフィードバックファクターに基づいて、物理上りリンク共有チャネル（ＰＵＳＣＨ）上でハイブリッド自動再送要求／肯定応答（ＨＡＲＱ−ＡＣＫ）情報を送信するステップをさらに含む。方法は、複数の第２のフィードバックファクターをもつ複数のセルから複数の上りリンク・グラントがトリガされるときに、第２のフィードバックファクター
（例えば、
【０５５５】
【数１８６】
0006452447.tif 000191
【０５５６】
）
に関するセレクション方式を確定するステップを含む。
【０５５７】
それぞれの第１のフィードバックファクターは、
【０５５８】
【数１８７】
0006452447.tif 000192
【０５５９】
である。
【０５６０】
【数１８８】
0006452447.tif 000193
【０５６１】
は、ｃ番目の在圏セルに関して、ＨＡＲＱ−ＡＣＫビットをフィードバックするための下りリンクサブフレームの数である。第１のフィードバックファクターを確定するステップは、複数のセルに関するフィードバックパラメーターＭｃにさらに基づく。
【０５６２】
ＵＬ−ＤＬ構成５が複数のセルのうちの１つのための参照構成である場合、第１のフィードバックファクターを確定するステップは、第３のフィードバックファクター
Ｕ
にさらに基づく。
Ｕ
は、すべての設定された在圏セルのうちの
Ｕｃ
の最大値を示す。
Ｕｃ
は、ｃ番目の在圏セル上で受信した物理下りリンク共有チャネル（ＰＤＳＣＨ）と下りリンク・セミパーシステント・スケジューリング（ＳＰＳ）リリースを示す物理下りリンク制御チャネルとの合計数である。ＵＬ−ＤＬ構成５が複数のセルのいずれの参照構成でもない場合、第１のフィードバックファクターを確定するステップは、第２のフィードバックファクターにさらに基づく。
【０５６３】
第２のフィードバックファクターは、下りリンク制御情報（ＤＣＩ）フォーマット０／４をもつ検出された物理下りリンク制御チャネル（ＰＤＣＣＨ）に基づいて調整されたサブフレームでのＰＵＳＣＨ送信に関するパラメーターである。第２のフィードバックファクターは、ＤＣＩフォーマット０／４における下りリンク割り当てインデックス（ＤＡＩ）に基づいて確定される
【０５６４】
【数１８９】
0006452447.tif 000194
【０５６５】
であってもよい。方法は、
【０５６６】
【数１９０】
0006452447.tif 000195
【０５６７】
をもたないＵＬグラントに対して、第２のフィードバックファクターを確定するステップを含む。方法は、異なる上りリンク・グラント・タイミングをもつ下りリンク制御情報（ＤＣＩ）フォーマット０／４における複数の下りリンク割り当てインデックス（ＤＡＩ）に対して、第２のフィードバックファクターを確定するステップを含む。方法は、複数のセルから複数の上りリンク・グラントがトリガされるときに、ＨＡＲＱ−ＡＣＫ情報を運ぶセルの関連付けられた
【０５６８】
【数１９１】
0006452447.tif 000196
【０５６９】
を用いて、第２のフィードバックファクター
【０５７０】
【数１９２】
0006452447.tif 000197
【０５７１】
を確定するステップを含む。
【０５７２】
【数１９３】
0006452447.tif 000198
【０５７３】
は、ＰＵＳＣＨ送信に対応する在圏セルの上りリンク参照ＵＬ−ＤＬ構成に対応する。
【０５７４】
基地局装置（ｅＮＢ）によってフィードバック情報を送信するための方法も記載される。方法は、複数のセルに関して、上り下りリンク（ＵＬ−ＤＬ）構成を確定するステップを含む。複数のセルのうちの少なくとも２つは、異なる上り下りリンク（ＵＬ−ＤＬ）構成を有する。方法は、第２のフィードバックファクターに基づいて、複数のセルに関して、第１のフィードバックファクターを確定するステップも含む。方法は、複数のセルに関して、第１のフィードバックファクターに基づいて、物理上りリンク共有チャネル（ＰＵＳＣＨ）上でハイブリッド自動再送要求／肯定応答（ＨＡＲＱ−ＡＣＫ）情報を受信するステップをさらに含む。方法は、複数の第２のフィードバックファクターをもつ複数のセルから複数の上りリンク・グラントがトリガされるときに、第２のフィードバックファクター
【０５７５】
【数１９４】
0006452447.tif 000199
【０５７６】
に関するセレクション方式を確定するステップを含む。
【０５７７】
それぞれの第１のフィードバックファクターは、
【０５７８】
【数１９５】
0006452447.tif 000200
【０５７９】
である。
【０５８０】
【数１９６】
0006452447.tif 000201
【０５８１】
は、ｃ番目の在圏セルに関して、ＨＡＲＱ−ＡＣＫビットをフィードバックするための下りリンクサブフレームの数である。第１のフィードバックファクターを確定するステップは、複数のセルに関するフィードバックパラメーターＭｃにさらに基づく。
【０５８２】
ＵＬ−ＤＬ構成５が複数のセルのうちの１つのための参照構成である場合、第１のフィードバックファクターを確定するステップは、第３のフィードバックファクター
Ｕ
にさらに基づく。
Ｕ
は、すべての設定された在圏セルのうちの
Ｕｃ
の最大値を示し、ここで
Ｕｃ
は、ｃ番目の在圏セル上で送信される物理下りリンク共有チャネル（ＰＤＳＣＨ）と下りリンク・セミパーシステント・スケジューリング（ＳＰＳ）リリースを示す物理下りリンク制御チャネルとの合計数である。
【０５８３】
第２のフィードバックファクターは、ＤＣＩフォーマット０／４をもつ検出されたＰＤＣＣＨに基づいて調整されたサブフレームでのＰＵＳＣＨ送信に関するパラメーターである。第２フィードバックファクターは、ＤＣＩフォーマット０／４における下りリンク割り当てインデックス（ＤＡＩ）に基づいて確定される、
【０５８４】
【数１９７】
0006452447.tif 000202
【０５８５】
であってもよい。方法は、
【０５８６】
【数１９８】
0006452447.tif 000203
【０５８７】
をもたないＵＬグラントに対して、第２のフィードバックファクターを確定するステップを含む。方法は、異なる上りリンク・グラント・タイミングをもつ下りリンク制御情報（ＤＣＩ）フォーマット０／４における複数の下りリンク割り当てインデックス（ＤＡＩ）に対して、第２のフィードバックファクターを確定するステップを含む。方法は、複数のセルから複数の上りリンク・グラントがトリガされるときに、ＨＡＲＱ−ＡＣＫ情報を運ぶセルの関連付けられた
【０５８８】
【数１９９】
0006452447.tif 000204
【０５８９】
を用いて、第２のフィードバックファクター
【０５９０】
【数２００】
0006452447.tif 000205
【０５９１】
を確定するステップを含む。
【０５９２】
【数２０１】
0006452447.tif 000206
【０５９３】
は、ＰＵＳＣＨ送信に対応する在圏セルの上りリンク参照ＵＬ−ＤＬ構成に対応する。
【図１】
0006452447.tif 000207
【図２】
0006452447.tif 000208
【図３】
0006452447.tif 000209
【図４】
0006452447.tif 000210
【図５】
0006452447.tif 000211
【図６】
0006452447.tif 000212
【図７】
0006452447.tif 000213
【図８】
0006452447.tif 000214
【図９】
0006452447.tif 000215
【図１０】
0006452447.tif 000216
【図１１】
0006452447.tif 000217